(57)【特許請求の範囲】
【請求項１】
フェムトアクセスポイント（ＦＡＰ）による周波数およびタイミング同期のための方法であって、
少なくとも１つのユーザ機器（ＵＥ）と帯域外（ＯＯＢ）リンクを確立することと、
前記ＯＯＢリンクを介して前記少なくとも１つのＵＥから支援パラメータを受信することと、 
前記支援パラメータに少なくとも部分的に基づいて前記少なくとも１つのＵＥの少なくとも１つのアップリンクパケットから周波数およびタイミング情報を抽出することと
を備える方法。
【請求項２】
前記支援パラメータを受信することは、ＵＥ状態、ＵＥテクノロジタイプ、およびチャネル検出パラメータのうちの少なくとも１つに関する情報を前記少なくとも１つのＵＥから受信することを備える、請求項１に記載の方法。
【請求項３】
前記チャネル検出パラメータはスクランブリングコードを備える、請求項２に記載の方法。
【請求項４】
受信することは、前記ＯＯＢリンクを介して前記少なくとも１つのＵＥからの前記支援パラメータを要求することを備える、請求項１に記載の方法。
【請求項５】
抽出することは、前記少なくとも１つのＵＥからネットワークエンティティへの前記少なくとも１つのアップリンクパケットをスニッフすることを備える、請求項１に記載の方法。
【請求項６】
前記ネットワークエンティティはマクロ基地局を備える、請求項５に記載の方法。
【請求項７】
前記マクロ基地局はノードＢおよび発展型ノードＢ（ｅＮＢ）のうちの１つを備える、請求項６に記載の方法。
【請求項８】
抽出することは、
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定することと
を備える、請求項６に記載の方法。
【請求項９】
抽出することは、
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得することと、
前記取得された情報に少なくとも部分的に基づいてタイミングおよび周波数情報を決定することと
を備える、請求項６に記載の方法。
【請求項１０】
取得することは、前記ＦＡＰが前記少なくとも１つのＵＥのアクティブセット内にあることに応じて前記少なくとも１つのＵＥから前記情報を取得することを備える、請求項９に記載の方法。
【請求項１１】
取得することは、前記ＦＡＰが前記少なくとも１つのＵＥのアクティブセット内にないことに応じて前記ＯＯＢリンクから前記情報を取得することを備える、請求項９に記載の方法。
【請求項１２】
スニッフすることは、
前記マクロ基地局がｅＮＢを備えることに応じて、前記少なくとも１つのＵＥと前記ｅＮＢとの間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定することと
を備える、請求項７に記載の方法。
【請求項１３】
前記ＯＯＢリンクはブルートゥースリンクを備える、請求項１に記載の方法。
【請求項１４】
フェムトセルアクセスポイント（ＦＡＰ）の周波数およびタイミング同期のための装置であって、
少なくとも１つのユーザ機器（ＵＥ）と帯域外（ＯＯＢ）リンクを確立し、
前記ＯＯＢリンクを介して前記少なくとも１つのＵＥから支援パラメータを受信し、
前記支援パラメータに少なくとも部分的に基づいて前記少なくとも１つのＵＥの少なくとも１つのアップリンクパケットから周波数およびタイミング情報を抽出する
ように構成される少なくとも１つのプロセッサと、
データを格納するために前記少なくとも１つのプロセッサに結合されるメモリとを備える装置。
【請求項１５】
前記少なくとも１つのプロセッサは、ＵＥ状態、ＵＥテクノロジタイプ、およびチャネル検出パラメータのうちの少なくとも１つに関する情報を前記少なくとも１つのＵＥから受信することによって前記支援パラメータを受信する、請求項１４に記載の装置。
【請求項１６】
前記少なくとも１つのプロセッサは、前記ＯＯＢリンクを介して前記少なくとも１つのＵＥからの前記支援パラメータを要求する、請求項１４に記載の装置。
【請求項１７】
前記少なくとも１つのプロセッサは、前記少なくとも１つのＵＥからネットワークエンティティへの前記少なくとも１つのアップリンクパケットをスニッフすることによって抽出する、請求項１４に記載の装置。
【請求項１８】
前記ネットワークエンティティはマクロ基地局を備える、請求項１７に記載の装置。
【請求項１９】
前記少なくとも１つのプロセッサは、
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定することとによって抽出する、請求項１８に記載の装置。
【請求項２０】
前記少なくとも１つのプロセッサは、
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得することと、
前記取得された情報に少なくとも部分的に基づいてタイミングおよび周波数情報を決定することとによって抽出する、請求項１８に記載の装置。
【請求項２１】
前記少なくとも１つのプロセッサは、
前記マクロ基地局が発展型ノードＢ（ｅＮＢ）を備えることに応じて、前記少なくとも１つのＵＥと前記ｅＮＢとの間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定することとによってスニッフする、請求項１８に記載の装置。
【請求項２２】
装置であって、
少なくとも１つのユーザ機器（ＵＥ）と帯域外（ＯＯＢ）リンクを確立するための手段と、
前記ＯＯＢリンクを介して前記少なくとも１つのＵＥから支援パラメータを受信するための手段と、
前記支援パラメータに少なくとも部分的に基づいて前記少なくとも１つのＵＥの少なくとも１つのアップリンクパケットから周波数およびタイミング情報を抽出するための手段と
を備える、装置。
【請求項２３】
前記少なくとも１つのＵＥからＵＥ状態、ＵＥテクノロジタイプ、およびチャネル検出パラメータのうちの少なくとも１つに関する情報を受信するための手段をさらに備える、請求項２２に記載の装置。
【請求項２４】
前記ＯＯＢリンクを介して前記少なくとも１つのＵＥからの前記支援パラメータを要求するための手段をさらに備える、請求項２２に記載の装置。
【請求項２５】
前記少なくとも１つのＵＥからネットワークエンティティに前記少なくとも１つのアップリンクパケットをスニッフするための手段をさらに備える、請求項２２に記載の装置。
【請求項２６】
前記ネットワークエンティティは、マクロ基地局を備える、請求項２５に記載の装置。
【請求項２７】
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得するための手段と、
前記取得された情報に少なくとも部分的に基づいて前記タイミングおよび周波数情報を決定するための手段と
をさらに備える、請求項２６に記載の装置。
【請求項２８】
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得するための手段と、
前記取得された情報に少なくとも部分的に基づいてタイミングおよび周波数情報を決定するための手段と
をさらに備える、請求項２６に記載の装置。
【請求項２９】
前記少なくとも１つのプロセッサは、
前記マクロ基地局がｅＮＢを備えることに応じて、前記少なくとも１つのＵＥと前記マクロ基地局との間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタするための手段と、
前記モニタされた情報に少なくとも部分的に基づいてタイミングおよび周波数情報を決定するための手段とによってスニッフする、請求項２６に記載の装置。
【請求項３０】
少なくとも１つのユーザ機器（ＵＥ）と帯域外（ＯＯＢ）リンクを確立することと、
前記ＯＯＢリンクを介して前記少なくとも１つのＵＥから支援パラメータを受信することと、
前記支援パラメータに少なくとも部分的に基づいて前記少なくとも１つのＵＥの少なくとも１つのアップリンクパケットから周波数およびタイミング情報を抽出することと
をコンピュータにさせるためのコードを備えるコンピュータプログラム。
【請求項３１】
ＵＥ状態、ＵＥテクノロジタイプ、およびチャネル検出パラメータのうちの少なくとも１つに関する情報を前記少なくとも１つのＵＥから受信することを前記コンピュータにさせるためのコードをさらに備える、請求項３０に記載のコンピュータプログラム。
【請求項３２】
前記ＯＯＢリンクを介して前記少なくとも１つのＵＥからの前記支援パラメータを要求することを前記コンピュータにさせるためのコードをさらに備える、請求項３０に記載のコンピュータプログラム。
【請求項３３】
前記少なくとも１つのＵＥからネットワークエンティティへの前記少なくとも１つのアップリンクパケットをスニッフすることを前記コンピュータにさせるためのコードをさらに備える、請求項３０に記載のコンピュータプログラム。
【請求項３４】
前記ネットワークエンティティはマクロ基地局を備える、請求項３３に記載のコンピュータプログラム。
【請求項３５】
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定させることと  を前記コンピュータにさせるためのコードをさらに備える、請求項３４に記載のコンピュータプログラム。
【請求項３６】
前記少なくとも１つのＵＥがＣＥＬＬ＿ＤＣＨ状態にあることに応じて、前記支援パラメータに少なくとも部分的に基づいて、拡散コード、スクランブリングコード、および時間オフセットに関する情報を取得することと、
前記取得された情報に少なくとも部分的に基づいてタイミングおよび周波数情報を決定させることとを前記コンピュータにさせるためのコードをさらに備える、請求項３４に記載のコンピュータプログラム。
【請求項３７】
前記マクロ基地局がｅＮＢを備えることに応じて、前記少なくとも１つのＵＥと前記マクロ基地局との間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定させることとを前記コンピュータにさせるためのコードをさらに備える、請求項３４に記載のコンピュータプログラム。
【請求項３８】
ユーザ機器（ＵＥ）によるフェムトアクセスポイント（ＦＡＰ）同期のための方法であって、
帯域外（ＯＯＢ）リンクがＦＡＰと確立されたか否かを決定することと、
前記ＯＯＢリンクが確立されたとの決定に応答して、前記ＯＯＢリンクを介して支援パラメータを前記ＦＡＰに提供することと
を備える方法。
【請求項３９】
前記支援パラメータを提供することは、ＵＥ状態、ＵＥテクノロジタイプ、およびチャネル検出パラメータのうちの少なくとも１つに関する情報を前記ＦＡＰに送ることを備える、請求項３８に記載の方法。
【請求項４０】
前記チャネル検出パラメータはスクランブリングコードを備える、請求項３９に記載の方法。
【請求項４１】
少なくとも１つのアップリンクパケットをネットワークエンティティに送ることをさらに備える、請求項３８に記載の方法。
【請求項４２】
前記ネットワークエンティティはマクロ基地局を備える、請求項４１に記載の方法。
【請求項４３】
前記マクロ基地局はノードＢおよび発展型ノードＢ（ｅＮＢ）のうちの１つを備える、請求項４２に記載の方法。
【請求項４４】
前記ＵＥがＣＥＬＬ＿ＦＡＣＨ状態にあることに応じて、前記ネットワークエンティティからブロードキャストされたシステム情報を受信することと、
前記ブロードキャストされたシステム情報を前記ＦＡＰに送ることと、
をさらに備える、請求項４１に記載の方法。
【請求項４５】
送ることは、前記ブロードキャストされたシステムを前記ＯＯＢリンクを介して前記ＦＡＰに送ることを備える、請求項４４に記載の方法。
【請求項４６】
前記ＵＥがＣＥＬＬ＿ＤＣＨ状態にあることに応じて、前記ネットワークエンティティから専用シグナリング情報を受信することと、
ＯＯＢリンクを通して前記ＦＡＰに、拡散コード、スクランブリングコード、および時間オフセットに関する前記シグナリング情報を提供することと
をさらに備える、請求項４１に記載の方法。
【請求項４７】
前記ＯＯＢリンクがまだ確立されていないとの決定に応じて、前記ＯＯＢリンクの確立を開始することをさらに備える、請求項３８に記載の方法。
【請求項４８】
提供することは、前記ＯＯＢリンクを介して前記ＦＡＰへの前記支援パラメータの転送を開始することを備える、請求項３８に記載の方法。
【請求項４９】
前記ＯＯＢリンクが確立されなかったとの決定に応じて、前記ＯＯＢを確立するように前記ＦＡＰにページングすることをさらに備える、請求項３８に記載の方法。
【請求項５０】
前記ＵＥがＬＴＥ接続状態にあることに応じて、ブロードキャストされたシステム情報と専用シグナリング情報のうちの少なくとも１つを前記ネットワークエンティティから受信することと、
前記ブロードキャストされたシステム情報および前記専用シグナリング情報のうちの少なくとも１つをＯＯＢリンクを介して前記ＦＡＰに送ることと
をさらに備える、請求項４１に記載の方法。
【請求項５１】
ユーザ機器（ＵＥ）によるフェムトアクセスポイント（ＦＡＰ）同期のための装置であって、
帯域外（ＯＯＢ）リンクがＦＡＰと確立されたか否かを決定し、前記ＯＯＢリンクが確立されたとの決定に応じて、前記ＯＯＢリンクを介して前記ＦＡＰに支援パラメータを提供するように構成される少なくとも１つのプロセッサと、
データを格納するために前記少なくとも１つのプロセッサに結合されるメモリと
を備える装置。
【請求項５２】
前記少なくとも１つのプロセッサは、ＵＥ状態、ＵＥテクノロジタイプ、およびチャネル検出パラメータのうちの少なくとも１つに関する情報を前記ＦＡＰに送ることによって前記支援パラメータを提供する、請求項５１に記載の装置。
【請求項５３】
前記少なくとも１つのプロセッサは少なくとも１つのアップリンクパケットをネットワークエンティティに送る、請求項５１に記載の装置。
【請求項５４】
前記ネットワークエンティティはマクロ基地局を備える、請求項５３に記載の装置。
【請求項５５】
前記少なくとも１つのプロセッサは、
前記ＵＥがＣＥＬＬ＿ＦＡＣＨ状態にあることに応じて、前記ネットワークエンティティからブロードキャストされたシステム情報を受信し、
前記ブロードキャストされたシステム情報を前記ＦＡＰに送る、請求項５３に記載の装置。
【請求項５６】
前記少なくとも１つのプロセッサは前記ブロードキャストされたシステムを前記ＦＡＰに前記ＯＯＢリンクを介して送る、請求項５５に記載の装置。
【請求項５７】
前記少なくとも１つのプロセッサは、
前記ＵＥがＣＥＬＬ＿ＤＣＨ状態であることに応じて、前記ネットワークエンティティから専用シグナリング情報を受信し、
拡散コード、スクランブリングコード、時間オフセットに関する前記シグナリング情報をＯＯＢリンクを通して前記ＦＡＰに提供する、請求項５３に記載の装置。
【請求項５８】
前記少なくとも１つのプロセッサは、前記ＯＯＢリンクがまだ確立されていないと決定することに応答して、前記ＯＯＢリンクの確立を開始する、請求項５１に記載の装置。
【請求項５９】
前記少なくとも１つのプロセッサは前記ＯＯＢリンクを介して前記ＦＡＰへの前記支援パラメータの転送を開始する、請求項５１に記載の装置。
【請求項６０】
前記少なくとも１つのプロセッサは、前記ＯＯＢリンクが確立されていないとの決定に応じて前記ＯＯＢリンクを確立するように前記ＦＡＰにページングする、請求項５１に記載の装置。
【請求項６１】
前記少なくとも１つのプロセッサは、
前記ＵＥがＬＴＥ接続状態であることに応じて、ブロードキャストされたシステム情報および専用シグナリング情報のうちの少なくとも１つを前記ネットワークエンティティから受信し、
前記ブロードキャストされたシステム情報および前記専用シグナリング情報のうちの少なくとも１つをＯＯＢリンクを介して前記ＦＡＰに送る、請求項５３に記載の装置。
【請求項６２】
ユーザ機器（ＵＥ）によるフェムトアクセスポイント（ＦＡＰ）同期のための装置であって、
帯域外（ＯＯＢ）リンクがＦＡＰと確立されたか否かを決定するための手段と、
前記ＯＯＢリンクが確立されたとの決定に応答して、前記ＯＯＢリンクを介して支援パラメータを前記ＦＡＰに提供するための手段と
を備える、装置。
【請求項６３】
ＵＥ状態、ＵＥテクノロジタイプ、およびチャネル検出パラメータのうちの少なくとも１つに関する情報を前記ＦＡＰに送るための手段をさらに備える、請求項６２に記載の装置。
【請求項６４】
ネットワークエンティティに少なくとも１つのアップリンクパケットを送るための手段をさらに備える、請求項６２に記載の装置。
【請求項６５】
前記ネットワークエンティティはマクロ基地局を備える、請求項６４に記載の装置。
【請求項６６】
前記ＵＥがＣＥＬＬ＿ＦＡＣＨ状態にあることに応じて、前記ネットワークエンティティからブロードキャストされたシステム情報を受信するための手段と、
前記ブロードキャストされたシステム情報を前記ＦＡＰに送るための手段と
をさらに備える、請求項６４に記載の装置。
【請求項６７】
前記ＯＯＢリンクを介して前記ブロードキャストされたシステムを前記ＦＡＰに送るための手段をさらに備える、請求項６６に記載の装置。
【請求項６８】
前記ＵＥがＣＥＬＬ＿ＤＣＨ状態にあることに応じて、前記ネットワークエンティティから専用シグナリング情報を受信するための手段と、
拡散コード、スクランブリングコード、および時間オフセットに関する前記シグナリング情報をＯＯＢリンクを介して前記ＦＡＰに提供するための手段と
をさらに備える、請求項６４に記載の装置。
【請求項６９】
前記ＯＯＢリンクがまだ確立されていないとの決定に応じて、前記ＯＯＢリンクの確立を開始するための手段をさらに備える、請求項６２に記載の装置。
【請求項７０】
前記ＯＯＢリンクを介して前記ＦＡＰへの前記支援パラメータの転送を開始するための手段をさらに備える、請求項６２に記載の装置。
【請求項７１】
前記ＯＯＢリンクが確立されていないとの決定に応じて、前記ＯＯＢリンクを確立するように前記ＦＡＰにページングするための手段をさらに備える、請求項６２に記載の装置。
【請求項７２】
前記ＵＥがＬＴＥ接続状態であることに応じて、ブロードキャストされたシステム情報および専用シグナリング情報のうちの少なくとも１つを前記ネットワークエンティティから受信するための手段と、
前記ブロードキャストされたシステム情報および前記専用シグナリング情報のうちの少なくとも１つをＯＯＢリンクを介して前記ＦＡＰに送るための手段と、
さらに備える、請求項６４に記載の装置。
【請求項７３】
帯域外（ＯＯＢ）リンクがＦＡＰと確立されたか否かを決定することと、
前記ＯＯＢリンクが確立されたとの決定に応答して、前記ＯＯＢリンクを介して支援パラメータを前記ＦＡＰに提供することとをコンピュータにさせるためのコードを備える、コンピュータプログラム。
【請求項７４】
ＵＥ状態、ＵＥテクノロジタイプ、およびチャネル検出パラメータのうちの少なくとも１つに関する情報を前記ＦＡＰに送ることを前記コンピュータにさせるためのコードをさらに備える、請求項７３に記載のコンピュータプログラム。
【請求項７５】
少なくとも１つのアップリンクパケットをネットワークエンティティに送ることを前記コンピュータにさせるためのコードをさらに備える、請求項７３に記載のコンピュータプログラム。
【請求項７６】
前記ネットワークエンティティはマクロ基地局を備える、請求項７５に記載のコンピュータプログラム。
【請求項７７】
前記ＵＥがＣＥＬＬ＿ＦＡＣＨ状態にあることに応じて、ブロードキャストされたシステム情報を前記ネットワークエンティティから受信することと、
前記ブロードキャストされたシステム情報を前記ＦＡＰに送ることとを前記コンピュータにさせるためのコードをさらに備える、請求項７５に記載のコンピュータプログラム。
【請求項７８】
前記ブロードキャストされたシステムを前記ＦＡＰに前記ＯＯＢリンクを介して送るための手段をさらに備える、請求項７７に記載のコンピュータプログラム。
【請求項７９】
前記ＵＥがＣＥＬＬ＿ＤＣＨ状態にあることに応答して、前記ネットワークエンティティから専用シグナリング情報を受信し、
拡散コード、スクランブリングコード、およびタイミグオフセットに関する前記シグナリング情報をＯＯＢリンクを介して前記ＦＡＰに提供することを前記コンピュータにさせるためのコードをさらに備える、請求項７５に記載のコンピュータプログラム。
【請求項８０】
前記ＯＯＢリンクがまだ確立されていないとの決定に応じて、前記ＯＯＢリンクの確立を開始することを前記コンピュータさせるためのコードをさらに備える、請求項７３に記載のコンピュータプログラム。
【請求項８１】
前記ＯＯＢリンクを介して前記ＦＡＰへの前記支援パラメータの転送を開始することを前記コンピュータにさせるためのコードをさらに備える、請求項７３に記載のコンピュータプログラム。
【請求項８２】
前記ＯＯＢリンクがまだ確立されていないとの決定に応じて、前記ＯＯＢリンクを確立するように前記ＦＡＰにページングすることを前記コンピュータにさせるためのコードをさらに備える、請求項７３に記載のコンピュータプログラム。
【請求項８３】
前記ＵＥがＬＴＥ接続状態にあることに応じて、ブロードキャストされたシステム情報および専用シグナリング情報のうちの少なくとも１つを前記ネットワークエンティティから受信し、
前記ブロードキャストされたシステム情報および前記専用シグナリング情報のうちの少なくとも１つをＯＯＢリンクを介して前記ＦＡＰに送ることを前記コンピュータにさせるためのコードをさらに備える、請求項７５に記載のコンピュータプログラム。
【発明の詳細な説明】
【優先権の主張】
【０００１】
本出願は、本明細書の譲受人に譲渡され、引用によりそのままで本明細書に特に組み込まれる、２０１０年３月２日に出願された「METHOD AND APPARATUS TO ENABLE TIMING AND FREQUENCY SYNCHRONIZATION BASED ON INTERFERENCE FROM WIRELESS DEVICES」と題する米国仮出願第６１／３０９,７３０号の優先権を主張する。
【技術分野】
【０００２】
本願は一般にワイヤレス通信に関し、さらに詳細には、ワイヤレス通信ネットワークにおいてフェムトセルをマクロセルに同期させるためのテクニックに関する。
【背景技術】
【０００３】
ワイヤレス通信ネットワークは、音声、ビデオ、パケットデータ、メッセージング、ブロードキャストのような様々な通信コンテンツを提供するために広く配備されている。これらワイヤレスネットワークは、利用可能なネットワークリソースを共有することによって、複数のユーザをサポートできる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークを含む。
【０００４】
ここ数年、ユーザは、固定回線ブロードバンド通信をモバイルブロードバンド通信に置き換え始め、特に、ユーザの住居または職場でのより良い音声品質、信頼性のあるサービス、低価格を益々要求するようになっている。屋内サービスを提供するために、ネットワーク事業者は、異なるソリューションを配備しうる。中程度のトラフィックのネットワークの場合、事業者は、マクロセルラ基地局を拠所にして建物内へ信号を送信する。しかしながら、建物透過損失が高いエリアでは、許容可能な信号品質を維持することは難しく、そのため、他のソリューションが望まれうる。空間およびスペクトルのような限られた無線リソースを最大限に活用するために、新しいソリューションが頻繁に望まれる。これらソリューションのうちのいくつかは、インテリジェントなリピータ、リモート無線ヘッド、ピコセル、フェムトセルを含む。
【０００５】
フェムトセルソリューションの標準化および促進に焦点をあてる非営利メンバーシップ団体であるフェムトフォーラムは、認可されたスペクトルで動作し、ネットワーク事業者によって制御され、既存のハンドセットに接続でき、迂回中継(backhaul)のために住居用のデジタル加入者回線（ＤＳＬ）またはケーブル接続を使用する低電力供給のワイヤレスアクセスポイントとなる、フェムトセルユニットとも呼ばれるフェムトアクセスポイント（ＦＡＰ）を定義している。様々な規格や環境で、ＦＡＰは、ホームノードＢ（ＨＮＢ）、ホームｅノードＢ（ＨｅＮＢ）、アクセスポイント基地局などと呼ばれうる。
【０００６】
費用を低く抑えるために、ＦＡＰがインストールおよびセットアップに対してほとんど要求しないことが望まれる。これは、ユーザがインターネット接続および電気のためのケーブルをプラグインするだけすむようにＦＡＰがそれ自体を自動構成するように設計されること、並びにマクロセルとのＦＡＰのタイミングおよび周波数同期が自動的に行われることを意味する。
【発明の概要】
【０００７】
以下に、そのような実施形態の基本的な理解を与えるために、１または複数の実施形態の簡略化された概要を提示する。この概要は予期される全ての実施形態の広範囲に及ぶ概観ではなく、全ての実施形態のキーまたは不可欠な要素を識別すること、あるいは、任意または全ての実施形態の範囲を描写することを意図しない。その唯一の目的は、後に提示されるより詳細な記述への前置きとして、１または複数の実施形態のうちのいくつかの概念を平易な形式で提示することである。
【０００８】
１または複数の実施形態およびその対応する開示に従って、様々な態様がフェムトアクセスポイント（ＦＡＰ）による周波数およびタイミング同期のための方法に関して記述される。方法は、少なくとも１つのユーザ機器（ＵＥ）との帯域外（ＯＯＢ）リンクを確立することを含みうる。方法は、このＯＯＢリンクを介して少なくとも１つのＵＥから支援パラメータ（aiding parameter）を受信することを含みうる。方法は、この支援パラメータに少なくとも部分的に基づいて少なくとも１つのＵＥの少なくとも１つのアップリンクパケットから周波数およびタイミング情報を抽出することを含みうる。さらなる関連態様において、電子デバイスは、上述された方法を実行するように構成されうる。
【０００９】
１または複数の実施形態およびその対応する開示に従って、様々な態様がＵＥのようなモバイルエンティティによって行われうるＦＡＰ同期方法との関連で記述される。１つの実施形態において、方法は、ＯＯＢリンクがＦＡＰと確立されたか否かを決定することを含みうる。方法は、ＯＯＢリンクが確立されたとの決定に応じて、このＯＯＢリンクを介して支援パラメータをＦＡＰに提供することを含みうる。さらなる関連態様において、電子デバイスは、上述された方法を実行するように構成されうる。
【００１０】
前述および関連した目的を達成するために、１または複数の実施形態が以下に十分に記述され、特に請求項において示される特徴を備える。以下の記述および添付された図は、１または複数の実施形態の特定の実例となる態様を詳細に示す。しかしならが、これら態様は様々な実施形態の原理が用いられうる様々な方法のほんの一部しか示さず、記述された実施形態がこうした態様およびこれらの均等物の全てを含むことが意図される。
【図面の簡単な説明】
【００１１】
【図１】図１は、ワイヤレス通信ネットワークを示す。
【図２】図２は、処理システムを用いる装置のためのハードウェア実装例を示す概念図である。
【図３】図３は、ネットワーク環境内でＦＡＰの配備を可能にするための例示的な通信システムを示す。
【図４Ａ】図４Ａは、本開示のある態様に従ってＦＡＰを示すブロック図である。
【図４Ｂ】図４Ｂは、本開示のある態様に従ってＵＥを示すブロック図である。
【図５Ａ】図５Ａは、本開示のある態様に従って、隣接ＦＡＰによる、ＵＥからの干渉の利用を示す概念図である。
【図５Ｂ】図５Ｂは、ＯＯＢリンクを通して支援パラメータを通信するためのシステムの実施形態を示す。
【図６】図６は、Ｐ−ＣＣＰＣＨチャネル上での送信とＡＩＣＨチャネル上での送信との間のタイミング関係を示すタイミング図である。
【図７】図７は、ＰＲＡＣＨチャネルおよびＡＩＣＨチャネル上での送信との間のタイミング関係を示すタイミング図である。
【図８】図８は、ＰＲＡＣＨ、ＡＩＣＨ、Ｆ−ＤＰＣＨ、およびＤＰＣＣＨ送信間のタイミング関係を示すタイミング図である。
【図９】図９は、ＵＥでの、Ｆ−ＤＰＣＨおよびＵＬ ＤＰＣＣＨ送信間のタイミング関係を示すタイミング図である。
【図１０】図１０は、プリアンブル信号の生成を示す概念図である。
【図１１】図１１は、ＰＲＡＣＨ物理レイヤ処理を示す概念図である。
【図１２】図１２は、ＵＬ ＤＰＣＣＨおよびＵＬ ＤＰＤＣＨの物理レイヤ処理を示す概念図である。
【図１３Ａ】図１３Ａは、ＵＬ ＤＰＣＣＨ、Ｐ−ＣＣＰＣＨ、およびＤＰＣＨ送信間のタイミング関係を示すタイミング図である。
【図１３Ｂ】図１３Ｂは、ＵＬ ＤＰＣＣＨ、Ｐ−ＣＣＰＣＨ、およびＦ−ＤＰＣＨ送信間のタイミング関係を示すタイミング図である。
【図１４】図１４は、本開示のある態様に従って、ＣＥＬＬ＿ＦＡＣＨ状態におけるＰＲＡＣＨプリアンブルとＰＲＡＣＨメッセージ部とを使用したＰ−ＣＣＰＣＨのスロットタイミングの決定を示すタイミング図である。
【図１５】図１５は、本開示のある態様に従って、ＣＥＬＬ＿ＦＡＣＨ状態におけるＰＲＡＣＨメッセージ部を使用したＰ−ＣＣＰＣＨのスロットタイミングの決定を示すタイミング図である。
【図１６】図１６は、本開示のある態様に従って、ＣＥＬＬ＿ＦＡＣＨ状態におけるＵＬ ＤＰＣＣＨを使用したＰ−ＣＣＰＣＨのスロットタイミングの決定を示すタイミング図である。
【図１７】図１７は、本開示のある態様に従って、ＣＥＬＬ＿ＤＣＨ状態におけるＵＬ ＤＰＣＣＨを使用したＰ−ＣＣＰＣＨのスロットおよびフレームタイミングの決定を示すタイミング図である。
【図１８Ａ】図１８Ａは、本開示のある態様に従って、図１４乃至１７のタイミング図に示されるようにＰ−ＣＣＰＣＨのスロットタイミングを決定するためのプロセスを示すフローチャートである。
【図１８Ｂ】図１８Ｂは、本開示のある態様に従って、図１４乃至１７のタイミング図に示されるようにＰ−ＣＣＰＣＨのスロットタイミングを決定するためのプロセスを示すフローチャートである。
【図１９】図１９は、ＦＡＰによる周波数およびタイミング同期のための例示的な方法を示す。
【図２０Ａ】図２０Ａは、図１９の方法のさらなる態様を示す。
【図２０Ｂ】図２０Ｂは、図１９の方法のさらなる態様を示す。
【図２１】図２１は、モバイルエンティティによるＦＡＰ同期ための例示的な方法を示す。
【図２２Ａ】図２２Ａは、図２１の方法のさらなる態様を示す。
【図２２Ｂ】図２２Ｂは、図２１の方法のさらなる態様を示す。
【図２３】図２３は、図１９乃至２０Ｂの方法に従って、ＦＡＰ同期のための例示的な装置を示す。
【図２４】図２４は、図２１乃至２２Ｂの方法に従ってＦＡＰ同期のための例示的な装置を示す。
【発明を実施するための形態】
【００１２】
「例示的（exemplary）」という用語は「実例、事例、例証として提供される」を意味するために本明細書で使用される。「例示的」として本明細書に記述されている任意の実施形態は、他の実施形態よりも有利または優先されると必ずしも解釈されるべきでない。本明細書に記述されるテクニックは、ＣＤＭＡ、ＴＤＭＡ、ＦＤＭＡ、ＯＦＤＭＡ、ＳＣ−ＦＤＭＡ、および他のワイヤレスネットワークなど、様々なワイヤレス通信ネットワークに使用されうる。「ネットワーク（network）」および「システム（system）」という用語は区別なく使用されることが多い。ＣＤＭＡネットワークは、ＵＴＲＡ（Universal Terrestrial Radio Access）、ｃｄｍａ２０００などの無線テクノロジを実装しうる。ＵＴＲＡは、広帯域ＣＤＭＡ（ＷＣＤＭＡ）、時分割同期ＣＤＭＡ（ＴＤ−ＳＤＭＡ）、およびＣＤＭＡの他の変形を含む。ｃｄｍａ２０００は、ＩＳ−２０００、ＩＳ−９５、およびＩＳ−８５６標準をカバーする。ＴＤＭＡネットワークは、ＧＳＭ（登録商標）（Global System for Mobile Communications）などの無線テクノロジを実装しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（Ｆｌａｓｈ−ＯＦＤＭ）などの無線テクノロジを実装しうる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ Ａｄｖａｎｃｅｄ）は、ＦＤＤおよびＴＤＤの両方において、ダウンリンク上でＯＦＤＭＡ、アップリンク上でＳＣ−ＦＤＭＡを採用するＥ−ＵＴＲＡを用いるＵＭＴＳの新リリースである。ＵＴＲＡ、Ｅ―ＵＴＲＡ、ＵＭＴＳ、ＬＴＥ、ＬＴＥーＡ、ＧＳＭは、「第３世代パートナーシッププロジェクト」（３ＧＰＰ）という名称の団体からの文書に記述される。ｃｄｍａ２０００およびＵＭＢは、「第３世代パートナーシッププロジェクト２」（３ＧＰＰ２）という名称の団体からの文書に記述される。本明細書に記述されるテクニックは、上述されたワイヤレスネットワークおよび無線テクノロジ、並びに、他のワイヤレスネットワークおよび無線テクノロジに対して使用されうる。明瞭さのために、テクニックの特定の態様は、ＬＴＥに関して以下に記述され、ＬＴＥ用語が以下の記述の大部分で使用されうる。
【００１３】
図１は、ＬＴＥネットワークや何か他のネットワークでありうるワイヤレス通信ネットワーク１００を示す。ワイヤレスネットワーク１００は、多数の発展型ノードＢ（ｅＮＢ）１１０および他のネットワークエンティティを含みうる。ｅＮＢは、ＵＥと通信するエンティティであることができ、基地局、ノードＢ、アクセスポイントなどとも呼ばれうる。ｅＮＢは概して基地局よりも多くの機能を有するが、「ｅＮＢ」および「基地局（base station）」という用語は本明細書において区別なく使用される。各ｅＮＢ １１０は、特定の地理的エリアに対して通信カバレッジを提供でき、例えば、このカバレッジエリア内に位置するユーザ機器（ＵＥ）のようなモバイルエンティティ（ＭＥ）のための通信をサポートしうる。ネットワーク容量を向上させるために、ｅＮＢのカバレッジエリア全体は、複数（例えば、３つ）のより小さいエリアに分割されうる。より小さいエリアの各々は、それぞれのｅＮＢサブシステムによってサービス提供されうる。３ＧＰＰにおいて、「セル（cell）」という用語は、この用語が使用される状況に依存してｅＮＢの最小カバレッジエリア、および／または、このカバレッジエリアにサービス提供するｅＮＢサブシステムを指しうる。
【００１４】
ｅＮＢは、マクロセル、ピコセル、フェムトセル、および／または、他のタイプのセルのための通信カバレッジを提供しうる。マクロセルは、比較的大きな地理的エリア（例えば、半径数キロ）をカバーし、サービスに加入しているＵＥによる無制限アクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、家）をカバーし、このフェムトセルと関連性のあるＵＥ（例えば、クローズド加入者グループ（ＣＳＧ）のＵＥ）による制限付きアクセスを可能にしうる。図１に示される例において、ｅＮＢ １１０ａ、１１０ｂ、１１０ｃは、それぞれ、マクロセルグループ１０２ａ、１０２ｂ、１０２ｃに対するマクロｅＮＢでありうる。セルグループ１０２ａ、１０２ｂ、１０２ｃの各々は、複数（例えば、３つ）のセルまたはセクタを含みうる。ｅＮＢ １１０ｄは、ピコセル１０２ｄのためのピコｅＮＢでありうる。ｅＮＢ １１０ｅは、フェムトセル１０２ｅのためのフェムトｅＮＢまたはフェムトアクセスポイント（ＦＡＰ）でありうる。
【００１５】
ワイヤレスネットワーク１００は、リレー（図１には示されない）を含みうる。リレーは、アップストリーム局（例えば、ｅＮＢまたはＵＥ）からのデータの送信を受信し、ダウンストリーム局（例えば、ＵＥまたはｅＮＢ）にこのデータの送信を送ることのできるエンティティでありうる。リレーは、他のＵＥのための送信を中継できるＵＥでもありうる。
【００１６】
ネットワークコントローラ１３０は、これらｅＮＢのセットに結合され、これらｅＮＢのための協調と制御を提供しうる。ネットワークコントローラ１３０は、単一のネットワークエンティティまたはネットワークエンティティの集合を備えうる。ネットワークコントローラ１３０は、迂回中継(backhaul)を介してこれらｅＮＢと通信できる。これらｅＮＢは、さらに、例えば、直接的に、あるいは、ワイヤレスまたはワイヤー回線迂回中継(wireline backhaul)を介して間接的に互いに通信できる。
【００１７】
複数のＵＥ １２０はワイヤレスネットワーク１００全体に分散され、各ＵＥは固定またはモバイルでありうる。ＵＥは、モバイル局、端末、アクセス端末、加入者ユニット、局とも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどでありうる。ＵＥは、ｅＮＢ、リレーなどと通信できる。ＵＥは、さらに、ピア・ツー・ピア（Ｐ２Ｐ）で他のＵＥと通信できる。
【００１８】
ワイヤレスネットワーク１００は、ダウンリンクおよびアップリンクの各々のための単一キャリアまたはマルチキャリアでの動作をサポートできる。キャリアは、通信に使用される周波数の範囲を指し、特定の特性に関連しうる。複数のキャリアでの動作は、マルチキャリア動作またはキャリア集約(carrier aggregation)とも呼ばれうる。ＵＥは、ｅＮＢとの通信のために、ダウンリンクのための１または複数のキャリア（すなわち、ダウンリンクキャリア）で動作し、アップリンクのための１または複数のキャリア（すなわち、アップリンクキャリア）で動作しうる。ｅＮＢは、１または複数のダウンリンクキャリアでデータおよび制御情報をＵＥに送りうる。ＵＥは、１または複数のアップリンクキャリアでデータおよび制御情報をｅＮＢに送りうる。１つの設計において、ダウンリンクキャリアは、アップリンクキャリアとペアリングされうる。この設計において、与えられたダウンリンクキャリアでのデータ送信をサポートする制御情報がこのダウンリンクキャリアおよび関連するアップリンクキャリアで送られうる。同様に、与えられたアップリンクキャリアでのデータ送信をサポートする制御情報がこのアップリンクキャリアおよび関連するダウンリンクキャリアで送られうる。別の設計において、クロスキャリア(cross-carrier)制御がサポートされうる。この設計において、与えられたダウンリンクキャリアでのデータ送信をサポートする制御情報は、ダウンリンクキャリアの代わりに他のダウンリンクキャリア（例えば、ベースキャリア）で送られうる。
【００１９】
ワイヤレスネットワーク１００は、与えられたキャリアに対してキャリア拡張（carrier extension）をサポートしうる。キャリア拡張の場合、異なるシステム帯域幅が１つのキャリアでの異なるＵＥに対してサポートされうる。例えば、ワイヤレスネットワークは、（ｉ）複数の第１のＵＥ（例えば、ＬＴＥリリース８または９あるいは何か他のリリースをサポートする複数のＵＥ）のためのダウンリンクキャリアについての第１のシステム帯域幅、並びに、（ｉｉ）複数の第２のＵＥ（例えば、後のＬＴＥリリースをサポートする複数のＵＥ）のためのダウンリンクキャリアについての第２のシステム帯域幅をサポートしうる。第２のシステム帯域幅は、完全にまたは部分的に第１のシステム帯域幅にオーバラップしうる。例えば、第２のシステム帯域幅は、第１のシステム帯域幅、並びに第１のシステム帯域幅の一端または両端でのさらなる帯域幅を含みうる。さらなるシステム帯域幅は、データ、および場合によって制御情報を第２のＵＥに送るために使用されうる。
【００２０】
ワイヤレスネットワーク１００は、単一入力単一出力（ＳＩＳＯ）、単一入力多出力（ＳＩＭＯ）、多入力単一出力（ＭＩＳＯ）、および／または、多入力多出力（ＭＩＭＯ）によるデータ送信をサポートしうる。ＭＩＭＯについては、送信機（例えば、ｅＮＢ）が複数の送信アンテナから受信機（例えば、ＵＥ）での複数の受信アンテナにデータを送信しうる。ＭＩＭＯは、信頼性を向上させるために（例えば、同一のデータを異なるアンテナから送信することによって）、および／または、スループットを向上させるために（例えば、異なるデータを異なるアンテナから送信することによって）使用されうる。
【００２１】
ワイヤレスネットワーク１００は、単一ユーザＭＩＭＯ、マルチユーザＭＩＭＯ、多地点協調（ＣｏＭＰ：Coordinated Multi-Point ）などをサポートしうる。ＳＵ−ＭＩＭＯについては、セルがプリコーディングを伴ってまたはプリコーディングを伴わずに、与えられた時間周波数リソース上で複数のデータストリームを単一のＵＥに送信しうる。ＭＵ−ＭＩＭＯについては、セルがプリコーディングを伴ってまたはプリコーディングを伴わずに、同一の時間周波数リソース上で複数のＵＥに複数のデータストリーム（例えば、各ＵＥに対して１つのデータストリーム）を送信しうる。ＣｏＭＰは、協調送信および／またはジョイント処理（joint processing）を含みうる。協調送信については、複数のセルが与えられた時間周波数リソース上で１または複数のデータストリームを単一のＵＥに送信し、このデータ送信が意図されるＵＥに向けられるように、および／または、１つまたは複数の干渉ＵＥ（interfered UE）から離れるようにしうる。ジョイント処理については、複数のセルがプリコーディングを伴ってまたはプリコーディングを伴わずに同一の時間周波数リソース上で複数のＵＥに複数のデータストリームを（例えば、各ＵＥに対して１つのストリームを）送信しうる。
【００２２】
ワイヤレスネットワーク１００は、データ送信の信頼性を向上させるためにハイブリッド自動再送（ＨＡＲＱ）をサポートしうる。ＨＡＲＱについては、送信機（例えば、ｅＮＢ）がデータパケット（または、転送ブロック）の送信を送り、必要であれば、受信機（例えば、ＵＥ）によってパケットが正確に復号されるまで、最大数の送信が送られるまで、あるいは、ある別の終了条件が満たされるまで、１または複数のさらなる送信を送りうる。次に、送信機は、可変数のパケット送信を送りうる。同期ＨＡＲＱについては、全てのパケット送信が、第Ｑごとの（every Q-th）サブフレームを含みうる単一のＨＡＲＱインタレースのサブフレームで送られうる。ここで、Ｑは、４、６、８、１０またはその他の値に等しくてよい。同期ＨＡＲＱについては、パケット送信の各々が任意のサブフレームで送られうる。
【００２３】
ワイヤレスネットワーク１００は、同期動作または非同期動作をサポートしうる。同期動作については、ｅＮＢが同様のフレームタイミングを有し、異なるｅＮＢからの送信が時間的にほぼ揃えられうる。非同期動作については、これらｅＮＢが異なるフレームタイミングを有し、異なるｅＮＢからの送信が時間的に揃えられなくてよい。
【００２４】
ワイヤレスネットワーク１００は、ＦＤＤまたはＴＤＤを利用しうる。ＦＤＤについては、ダウンリンクおよびアップリンクが離れた周波数チャネルに割り付けられ、ダウンリンク送信およびアップリンク送信がこれら２つの周波数チャネル上で同時に送られうる。ＴＤＤについては、ダウンリンクおよびアップリンクが同一の周波数チャネルを共有し、ダウンリンク送信およびアップリンク送信が同一の周波数チャネル上で異なる時間期間に送られうる。関連態様において、以下においてさらに詳述されるＦＡＰ同期アルゴリズムがＦＤＤまたはＴＤＤ複信を使用してＦＡＰに適用されうる。
【００２５】
図２は、処理システム２１４を用いる装置２００のためのハードウェア実装例を示す概念図である。例えば、装置２００は、ＵＥ等のようなモバイルエンティティ、あるいは、マクロ基地局（例えば、ｅＮＢ）、ＦＡＰ等のようなネットワークエンティティを備えうる。この例において、処理システム２１４は、バス２０２により通常表されるバスアーキテクチャで実装されうる。バス２０２は、処理システム２１４の特定アプリケーション並びに全体的な設計制約に依存して任意の数の相互接続バスおよびブリッジを含みうる。バス２０２は、プロセッサ２０４により通常表される１または複数のプロセッサ、およびコンピュータ可読媒体２０６により通常表されるコンピュータ可読媒体を含む様々な回路を互いにリンクする。バス２０２は、さらに、当技術分野において周知であって、このためさらに詳述されないはずのタイミングソース、周辺機器、電圧レギュレータ、電力管理回路のような様々な他の回路をリンクしうる。バスインターフェース２０８は、バス２０２とトランシーバ２１０との間のインターフェースを提供する。トランシーバ２１０は、伝送媒体を通して他の様々な装置と通信するための手段を提供しうる。装置の性質に依存し、ユーザインターフェース２１２（例えば、キーバッド、ディスプレイ、スピーカ、マイクロフォン、および／または、ジョイスティック）も提供されうる。
【００２６】
プロセッサ２０４は、コンピュータ可読媒体２０６に格納されたソフトウェアの実行を含む一般的な処理、並びにバス２０２管理することに対して責任を有しうる。このソフトウェアは、プロセッサ２０４によって実行されるときに、後述される様々な機能を何か特定の装置のために行うことを処理システム２１４にさせる。また、コンピュータ可読媒体２０６は、ソフトウェアを実行するときにプロセッサ２０４によって処理される(manipulated)データを格納するために使用されうる。
【００２７】
図３は、ネットワーク環境内でフェムトセルの配備を可能にするための例示的な通信システムを示す。図３に示されるように、システム３００は、例えば１または複数のユーザ住居３３０内に対応する小スケールネットワーク環境にインストールされ、無縁（alien）のと同じように関連のモバイル局３２０ａおよび３２０ｂにサービスを提供するように構成されるＦＡＰ ３１０を含む。ＦＡＰ ３１０は、例えば、ケーブルやデジタル加入者回線（ＤＳＬ）接続であるバックホール(backhaul)接続３３５を経由してインターネット３４０に結合されうる。ＦＡＰ ３１０は、さらに、適切な通信ハードウェアおよびソフトウェアを利用し、インターネット３４０を介してモバイル事業者コアネットワーク３５０に通信で結合されうる。さらに、ＦＡＰ ３１０は、マクロセル基地局３６０のうちの１または複数によってブロードキャストされたエアインターフェースをスニッフ（sniff）するため、および／または、モバイルエンティティ（例えば、ＵＥ）からのアップリンクパケットをスニッフするために、ネットワーク聴取コンポーネント（network listen component）３７０を利用して、１または複数のマクロセル基地局３６０に通信で結合されうる。
【００２８】
図４Ａは、図３に示されるＦＡＰ ３１０の一例を示す概念ブロック図である。この図では、多数のブロックが、プロセッサまたはコントローラとしてラベル付けされる。当業者は、これらプロセッサの各々が図２に示されたプロセッサ２０４または処理システム２１４のようなハードウェアプロセッサとして実装されたり、任意の数の図示されたプロセッサによって行われる機能が単一のハードウェアプロセッサへ組み合わされてこれによって実装されたりしうることを理解するはずである。さらに、図４Ａにおいて図示されたプロセッサは、プロセッサ、ソフトウェア等によって実装されるべき機能を表しうる。
【００２９】
上述されたように、ＦＡＰ ３１０はネットワーク聴取コンポーネント３７０を含みうる。ネットワーク聴取コンポーネント３７０は、ＦＡＰ ３１０を構成するためにＦＡＰ ３１０の目や耳のように通常機能し、同期のためのタイミングおよび周波数情報を取得する。ネットワーク聴取コンポーネント３７０は、様々な利用可能チャネル上で信号および干渉レベルを受信して測定するためにダウンリンク受信機３７１および受信プロセッサ３７２を含みうる。ネットワーク聴取コンポーネント３７０は、タイミングおよび周波数情報を複数の隣接セルから獲得し、モビリティおよび干渉管理目的のためにこれらセルからのブロードキャストメッセージを復号するように受信機３７１および受信プロセッサ３７２をさらに利用しうる。例えば、ネットワーク聴取コンポーネント３７０は、周囲のセルを周期的にスキャンすることによってこれを達成しうる。ＦＡＰ ３１０は、さらに、ＷＷＡＮトランシーバ３１１およびＷＷＡＮプロセッサ３１２を含むワイヤレス広域ネットワーク（ＷＷＡＮ）コンポーネントと、ＷＰＡＮトランシーバ３１３およびＷＰＡＮプロセッサ３１４を含むワイヤレスパーソナルエリアネットワーク（ＷＰＡＮ）コンポーネントとを含みうる。ここで、ＷＰＡＮコンポーネントはオプション的なもので、ＦＡＰ ３１０に近接した複数のＵＥとの帯域外（ＯＯＢ）通信に利用されうる。ＦＡＰ ３１０は、さらに、ＦＡＰ ３１０の内部または外部にあってよいモデム４００との通信を容易にするためのバックホールＩ／Ｏユニット３１６、ＦＡＰ ３１０の様々な機能を制御し連携させるためのコントローラ／プロセッサ３１５、およびコントローラ／プロセッサ３１５による利用のための情報を格納するためのメモリ３１７を含みうる。関連態様において、ＦＡＰのＷＷＡＮトランシーバ３１１およびＷＰＡＮトランシーバ３１３の送信機能は、ネットワーク聴取コンポーネント３７０の動作を容易にするためにオフにされうる。
【００３０】
図４Ｂは、本開示の例示的な態様に従って、ＵＥ ４１０の実施形態を示すブロック図である。図４Ｂにおいて、多数のブロックがプロセッサまたはコントローラとしてラベル付される。当業者は、これらプロセッサの各々が、図２に示されたプロセッサ２０４または処理システム２１４のようなハードウェアプロセッサとして実装されたり、任意数の図示されたプロセッサによって行われる機能が単一のハードウェアプロセッサへ組み合わされてこれによって単一のハードウェアプロセッサによって実装されたりしうることを理解するはずである。さらに、図４Ｂにおいて図示されたプロセッサは、プロセッサ、ソフトウェア等によって実装されるべき機能を表しうる。ここで、ＵＥ ４１０は、ＷＷＡＮトランシーバ４２０およびＷＷＡＮプロセッサ４３０、並びに、ＷＰＡＮトランシーバ４４０およびＷＰＡＮプロセッサ４５０を含みうる。従って、ＵＥ ４１０は、ＦＡＰ ３１０とＷＷＡＮリンクおよび／またはＷＰＡＮリンクを確立するように構成されうる。さらに、ＵＥ ４１０は、例えば、キーパッド（図示されない）からユーザ入力を受け取り、例えばディスプレイ（図示されない）に出力を提供するためのＩ／Ｏを含みうる。さらに、ＵＥ ４１０は、ＵＥ ４１０の様々な機能を制御するためのコントローラ／プロセッサ４６０、およびこのコントローラ／プロセッサ４６０が使用する情報を格納するメモリ４８０を含みうる。
【００３１】
図５Ａは、本開示の態様が実装されうる例示的なシステムを示す概念図である。ここで、フェムトセル５１０は、隣接マクロセル５２０のほぼ近傍に位置する。この例を示すために、２つのＵＥ ５２０および５２２は、これらのサービングセルの役割を付随して果たすマクロセル５２０にキャンプオン（camp on）する。ＵＥ ５２１および５２２は、マクロセル５２０によって提供されるスケジューリングリソースに従ってダウンリンク送信を受信し、マクロセル５２０によって受信および復号されることを意図したアップリンク送信を送るように構成されうる。ＵＥ ５２１および５２２のアンテナが事実上指向性でないことがあるため、ＵＥ ５２１および５２２がフェムトセル５１０の近くに配置された場合にアップリンク送信はフェムトセル５１０で受信されうる。通常、ＵＥ ５２１および５２２からのアップリンク送信は、フェムトセル５１０にサービスを提供するＦＡＰのＷＷＡＮトランシーバおよびネットワーク聴取モジュールの見地から不所望な干渉であるとみなされるはずである。しかしながら、本開示のいくつかの態様に従って、フェムトセルは、これらアップリンク送信をスニッフし、例えば、フェムトセルのタイミングおよび周波数を同期させるために、支援情報を取得する。関連態様では、以下でさらに詳述されるように、支援情報がＯＯＢリンク（例えば、ブルートゥースリンク）を介してＵＥ ５２１および／または５２２から取得される少なくとも支援パラメータに基づいてＦＡＰによって取得されうる。
【００３２】
本明細書に記述される実施形態の態様に従って、フェムトセル５１０のＦＡＰは、ＵＥ ５２１および／または５２２によって送信されるアップリンクパケット（例えば、マクロセル５２０に向けられたパケット）をスニッフし、例えば、それぞれＵＥ ５２１および／または５２１にサービス提供する特定のマクロセル５２０のタイミングおよび周波数同期情報のような支援情報を取得しうる。すなわち、ＵＥ ５２１および／または５２２によって隣接セルに向けて送信されそれ以外においてＦＡＰによる干渉とみなされるパケットは、ＦＡＰのタイミングおよび／または周波数同期を向上させるためにＦＡＰによって利用されうる。
【００３３】
関連態様では、複数のＵＥからのアップリンク送信をスニッフすることによって取得された支援情報が、例えば、図３の実施形態で示されるバックホールＩ／Ｏモジュール３１６、ネットワーク聴取コンポーネント３７０等を利用する他のアプローチで取得された粗いタイミング推定値をリファイン(refine)するために利用されうる。
【００３４】
さらなる関連態様では、ＦＡＰがパケットを送信する複数のＵＥからのパケットをスニッフしうる。ＵＭＴＳにおいて、パケットを送信する複数のＵＥは、ＣＥＬＬ＿ＦＡＣＨモードまたはＣＥＬＬ＿ＤＣＨモードでありうる。ＵＲＡ＿ＰＣＨまたはＣＥＬＬ＿ＰＣＨ状態のような別の接続モードにおいて、これらＵＥはアップリンク上でパケットを送信しない。同様に、アイドルモードでも、これらＵＥはアップリンク上でパケットを送信せず、ＦＡＰはこれらの状態においてこれらＵＥからのパケットをスニッフできない。
【００３５】
ＣＥＬＬ＿ＦＡＣＨ状態にあるＵＥによって送信されるアップリンクパケットをスニッフするために、ＦＡＰはこのＵＥがそのアップリンク送信に使用するスクランブリングコード、拡散コード、およびシグネチャを利用しうる。例えば、シグネチャおよびコード番号は、マクロセル内のブロードキャストされたシステム情報（例えば、与えられたシステム情報ブロック（ＳＩＢ））に含まれ、ＦＡＰのネットワーク聴取エンティティによって取得されうる。
【００３６】
すなわち、ＣＥＬＬ＿ＦＡＣＨ状態にあるＵＥからのパケットをスニッフするために、ＦＡＰのネットワーク聴取エンティティはマクロセルからブロードキャストされたシステム情報（例えば、ＳＩＢ−５）を取得しうる。この情報を用いて、ＦＡＰは、ＣＥＬＬ＿ＦＡＣＨ状態にあるＵＥについてのシグネチャ（例えば、シグネチャインデックス）、拡散コード（例えば、直交可変拡散率（ＯＶＳＦ）コード）、およびスクランブリングコードをブロードキャストされたシステム情報から抽出しうる。ＦＡＰは、そのような情報を利用して、ＵＥによって送信されたアップリンクパケットからタイミングおよび周波数情報を取得しうる。
【００３７】
ＣＥＬＬ＿ＤＣＨ状態にあるＵＥによって送信されるアップリンクパケットをスニッフするために、ＦＡＰはＵＥがこのアップリンク送信に使用するスクランブリングコード、拡散コード、およびタイミングオフセット情報を同様に利用しうる。ＵＥのアクティブセット内のＦＡＰはこのような情報へのアクセスを一般に有し、この情報を利用してパケットをスニッフし、タイミングおよび周波数情報を取得しうる。
【００３８】
本明細書に記述された実施形態の態様に従って、ＯＯＢベースのアップリンクスニッフィングのためのパラメータ通信についてのテクニックが提供される。上述されたように、ＦＡＰのタイミングおよび周波数を同期させるための支援情報は、ＵＥとのＯＯＢリンクを介して取得された支援パラメータに少なくとも基づいてＦＡＰによって取得されうる。図５Ｂの実施形態を参照すると、ブルートゥースリンク等でありうるＯＯＢリンク５６０を介してＦＡＰ ５７０と通信状態にあるＵＥ ５５０が示されている。ＵＥ ５５０は、互いに有効な(operative)通信状態にあるＷＷＡＮモデム５５２、ＷＷＡＮプロセッサおよび記憶装置５５４、ＯＯＢプロセッサ５５６、ＯＯＢモデム５５８を備えうる。ＦＡＰ ５７０は、互いに有効な(operative)通信状態にあるＯＯＢモデム５７２、ＯＯＢプロセッサ５７４、ＷＷＡＮプロセッサおよび記憶装置５７６、ＷＷＡＮモデム５７８を備えうる。
【００３９】
ＵＥ ５５０では、ＷＷＡＮ支援パラメータがＷＷＡＮモデム５５２から抽出され、ＷＷＡＮプロセッサおよび記憶装置５５４に送られ、レジスタに格納されうる。ＷＷＡＮ支援パラメータはレジスタから読み取られ、ＯＯＢプロセッサ５５６に渡されうる。ＯＯＢ支援パラメータはオプションでＯＯＢモデム５５８からＯＯＢプロセッサ５５６にも送られうる。組み合わされた支援パラメータはＯＯＢモデム５５８に送られうる。次に、支援パラメータはＯＯＢリンク５６０を通してＦＡＰ ５７０のフェムトＯＯＢモデム５７２に送られうる。支援パラメータはフェムトＯＯＢモデム５７２からＯＯＢプロセッサ５７４に送られ、これが次に支援パラメータをＷＷＡＮプロセッサおよび記憶装置５７６に送りうる。フェムトＷＷＡＮモデム５７８は、ＵＥパケット（例えば、ＵＥからマクロ基地局へのアップリンクパケット）をスニッフする際にこれら支援パラメータを使用するように構成されうる。
【００４０】
ＣＥＬＬ＿ＦＡＣＨ：  ＣＥＬＬ＿ＦＡＣＨ状態にある場合、ＵＥはチャネルへのアクセスを得るためにプリアンブルを送信していたり、データをネットワークに送信していたりできる。プリアンブルを送信している場合、ＵＥが物理ランダムアクセスチャネル（ＰＲＡＣＨ）を使用する。３ＧＰＰ標準ファミリのリリース７およびＵＭＴＳの以前のリリースをサポートするＣＥＬＬ＿ＦＡＣＨ状態にあるＵＥはＰＲＡＣＨ上でのみデータを送信しうるが、後のリリースの場合に、ＵＥは高いデータレートアップリンクメッセージを送信するためのＥ−ＤＰＤＣＨ（enhanced uplink dedicated channel dedicated physical control channel）を使用しうる。
【００４１】
図６は、本明細書で論じられたチャネルのうちのいくつかを概念的に示すタイミング図である。ＵＭＴＳにおいて、プライマリ共通制御物理チャネル（Ｐ−ＣＣＰＣＨ）６１０は、ダウンリンクで直接的であり、アップリンクで間接的である特定のセル内の全ての物理チャネルのためのタイミング基準である。従って、マクロセルのタイミング基準を獲得するために、ＵＥがアップリンク送信に使用しているＰＲＡＣＨまたはＥ−ＤＰＤＣＨと、マクロセルのＰ−ＣＣＰＣＨとのタイミング関係が導き出される。このタイミング関係は、獲得インジケータチャネル（ＡＩＣＨ）６２０、すなわち、プリアンブルに対するマクロセルのＡＣＫ／ＮＡＫ応答を搬送するダウンリンクチャネルから導き出される。ＡＩＣＨ ６２０は、＃０〜＃１４とラベル付けされた１５個のスロットを有し、これらは３０個の通常のスロットを含む２個のＰ−ＣＣＰＣＨフレームにオーバラップする。ＡＩＣＨアクセススロット＃０の開始はＰ−ＣＣＰＣＨサブフレーム番号（ＳＦＮ）モジュロ２＝０の開始に揃う。
【００４２】
アップリンクアクセススロットにおいて送信されるプリアンブルごとに、ＵＥがネットワークからのＡＣＫ／ＮＡＫの受信を予期する対応するアクセススロットが存在する。ＡＣＫが受信された場合、ＵＥのアップリンクデータ送信（メッセージ部と呼ばれる）のタイミングは、図６に示されるように、ＰＲＡＣＨおよびＡＩＣＨチャネルタイミングと結び付けられる。図７は、ＵＥが送信に使用するＰＲＡＣＨ ７１０、ＡＩＣＨ ７２０、およびアクセススロットを示す。ここで、プリアンブル７１５は、幅が５１２０チップであるスロットにおいて４０９６チップの長さである。ＡＩＣＨ上での送信されたプリアンブルと、予期されるＡＣＫ／ＮＡＫとの時間差は、図７において、τｐ−ａと表されうる。
【００４３】
ＡＣＫ ７３０がＡＩＣＨチャネル７２０上で受信されると、長さが１０または２０ｍｓのメッセージ７４０（データ）が、最初のプリアンブルが送信されてからτｐ−ｍの時間差で送信される。ＮＡＫが受信されると、前のプリアンブル７１５が送られてからτｐ−ｐ秒後に別のプリアンブル７１５が送信される。τｐ−ｐ、τｐ−ｍ、τｐ−ａの値は、０または１という値をとりうるＡＩＣＨ送信タイミング（ＡＴＴ）と呼ばれるパラメータに依存する。ＡＴＴパラメータの値は、セルブロードキャスト情報およびＵＥのアクセスサービスクラス（ＡＳＣ）から導き出される、τｐ−ｐ、τｐ−ｍ、τｐ−ａの典型値は、下の表１に提示される。
【表１】
0005575932.tif 000002
【００４４】
上述されたように、リリース８以降をサポートするＣＥＬＬ＿ＦＡＣＨ状態にあるＵＥは、２ミリ秒または１０ミリ秒の長さでありうるＥ−ＤＰＤＣＨ上で高いデータレートでデータを送信することができる。アップリンク８１０上でのＥ−ＤＰＤＣＨの送信は、専用物理制御チャネル（すなわち、Ｅ−ＤＰＣＣＨおよびＵＬ ＤＰＣＣＨ）の送信に依存する。ＵＥがＥ−ＤＰＤＣＨ上で送信すると、Ｅ−ＤＰＤＣＨおよびＥ−ＤＰＣＣＨは、ＵＬ ＤＰＣＣＨに揃えられたフレームである。ＵＬ ＤＰＣＣＨタイミングが、プリアンブル送信および肯定応答(acknowledgement)の間に受信されたダウンリンクチャネル８２０のタイミングと結び付けられる。これらタイミング関係は図８に示される。さらに、図８に示されるタイミングパラメータの値は、下の表２に示される。
【００４５】
ＰＲＡＣＨ上のＵＥのプリアンブル送信８３０と、ＡＩＣＨ上の肯定応答８４０とのタイミング関係は前に論じられものと同様であるが、データがＡＣＫ ８４０の受信後いつ送信できるかは異なる。ＡＣＫ ８４０がＡＩＣＨ上で送信された後、ノードＢは、わずかな専用物理チャネル（Ｆ−ＤＰＣＨ）を使用して制御情報をＵＥに送信する。Ｆ−ＤＰＣＨは、ＡＩＣＨチャネルの開始から１０２４０＋２５６×Ｓｏｆｆｓｅｔチップ後に送信される。ここで、Ｓｏｆｆｓｅｔは、ネットワークによって選ばれ、オーバラップを避けるために複数のＵＥへのＦ−ＤＰＣＨ送信を交互にずらす際に使用されるＵＥ依存型のオフセットである。Ｓｏｆｆｓｅｔの範囲は表２に示される。
【表２】
0005575932.tif 000003
【００４６】
ＵＥがＦ−ＤＰＣＨを受信すると、図９に示されるように、ＵＥは、τｏ（１０２４）チップ後に、ＵＬ ＤＰＣＣＨでその対応アップリンク送信を送る。
【００４７】
ＣＥＬＬ＿ＦＡＣＨ状態にあるＵＥのアップリンクパケットをスニッフする間、ネットワークは、パケットがＰＲＡＣＨプリアンブルであるか、ＰＲＡＣＨメッセージであるか、あるいはＵＬ ＤＰＣＣＨであるかを決定しうる（リリース８以降のＵＥについて）。ＦＡＰは、送信の各々のパケット構造に基づいて送信のタイプを決定しうる。ＰＲＡＣＨプリアンブル、ＰＲＡＣＨメッセージ、およびＵＬ ＤＰＣＣＨ構造が以下に論じられる。関連態様において、ＰＲＡＣＨプリアンブル１０３０は、図１０に示されるように、プリアンブルシグネチャ１０１０とスクランブリングコードシーケンス１０２０とを掛け合わせることによって生成される。
【００４８】
例えば、特定のセルにおいて利用可能な１６個の可能なプリアンブルシグネチャが存在しうる。各シグネチャは、２５６回繰り返される１６チップのシーケンスから成る。利用可能なシグネチャのインデックスが、典型的に、ＳＩＢ５でブロードキャストされる一方で、特定のＵＥに対して利用可能なサブセットが、ＵＥのＡＳＣに基づいて導き出される。アップリンクパケットをスニッフするフェムトに対してＡＳＣ情報が利用不可能である場合、このフェムトは、プリアンブル信号を生成する際にＵＥによって使用された特定のシグネチャを見つけるために、１６個全てのシグネチャをサーチしなければならないはずである。
【００４９】
ＰＲＡＣＨプリアンブルに対して使用されるスクランブリングコードは、グループごとに１６個のコードで５１２個のコードグループに分割される８１９２個のシーケンスからなるグループから選択される。従って、プリアンブルスクランブリングコードは、インデックスｎを持つコードとして表されうる。ここで、ｎ＝ｍ×１６＋ｋであり、ｍは、０、１、…、５１１およびｋという範囲の値を有するコードグループを識別するインデックスであり、各グループ値内の特定のコード番号は、０、１、…、１５の範囲内である。コードグループインデックスは、セル（この場合、マクロセル）によって使用されたプライマリスクランブリングコードと１対１の関係性を有する。これらコードについての追加情報は、引用により本明細書に組み込まれる、３ＧＰＰ ＴＳ２５.２１３セクション４.３.３.２において見つけられうる。コード番号ｋはＳＩＢ５でブロードキャストされる。
【００５０】
ＰＲＡＣＨメッセージは、図１１に示されるように、ＯＶＳＦ拡散およびスクランブリングコードでマスクされたデータおよび制御情報から成る。
【００５１】
制御部１１１０は、ノードＢでのチャネル推定に使用される８ビットのパイロットパターンを運ぶ。１４個のそのようなパターンが引用により本明細書に組み込まれる３ＧＰＰ ＴＳ２５.２１１のセクション５.２.２.１.３で定義されて存在する。各スロットで使用されるパイロットパターンは、スロットごとに変化しうる。
【００５２】
制御部に対して使用されるＯＶＳＦコード１１２０は、Ｃ２５６,ｍとして示されうる固定拡散係数２５６を有する。ここで、ｍ＝１６×ｓ＋１５であり、ｓは、上で論じられた、０、１、…、１５の範囲内で値が変化するプリアンブルシグネチャのインデックスである。データ部１１３０に対するＯＶＳＦコード１１４０は、送信に使用される拡散係数（ＳＦ）、すなわち、２５６、１２８、６４、および３２に基づく。ＯＶＳＦコード１１４０は、ＣＳＦ，ｍと表されうる。ここで、ｍ＝ＳＦ×ｓ／１６である。ＯＶＳＦコードについての追加情報は、引用により本明細書に組み込まれる、３ＧＰＰ ＴＳ２５．２１３のセクション４.３.１.３において見つけることができる。
【００５３】
ＰＲＡＣＨメッセージ部に使用されるスクランブリングコード１１５０は、ＰＲＡＣＨプリアンブルをスクランブルする際に使用されるスクランブリングコードとの直接的な１対１のマッピングを有しうる。
【００５４】
データ部のためのサーチ空間が、データ部よりも高いと仮定すると、制御部に対するＯＶＳＦコード１１２０が、スニッフしている間のフェムトセルサーチで使用されることが勧められる。パイロットシーケンスもこのサーチに用いられうるが、パイロットシーケンスがスロットごとに変化しうるため、パイロットシーケンスを使用することは効率的ではない。
【００５５】
図１２は、送信中におけるにＵＬ ＤＰＣＣＨおよびＵＬ ＤＰＤＣＨ物理レイヤ処理を示すブロック図である。図１２に示されるように送信中に利得係数が適用されるが、検出中にこの利得係数を知るためにＦＡＰが必要とされないことは注目に値する。
【００５６】
ＵＬ ＤＰＣＣＨは、チャネル推定および同期に使用されるパイロットシーケンスのような制御ビットを含む。ＵＬ ＤＰＣＣＨで使用される６個の可能なパイロットパターンが存在する。送信に使用される特定のパターンはネットワークからＵＥに通常シグナリングされる。
【００５７】
ＵＬ ＤＰＣＣＨは、単独、あるいはＥ−ＤＰＤＣＨ、Ｅ−ＤＰＣＣＨ、ＵＬ ＤＰＤＣＨのような別のチャネルと共に送信されうる。ＵＬ ＤＰＤＣＨ １２２０とＵＬ ＤＰＣＣＨ １２１０との送信が図１２に示される。ＵＬ ＤＰＣＣＨ １２１０は、直交コンポーネント１２３０上で送信され、ＳＦ２５６およびインデックス０の既知のＯＶＳＦコード１２４０ Ｃ２５６，０を用いて拡散されうる。ベータ因子（beta factor）を用いたデータスケーリングと、同相コンポーネントとの結合の後（別のチャネルで送信された場合）、ＵＬ ＤＰＣＣＨ １２１０は、ＵＥ固有スクランブリングコードを用いてスクランブルされる。
【００５８】
ＣＥＬＬ＿ＤＣＨ：  ＣＥＬＬ＿ＤＣＨ状態において、ＵＥは、ネットワークとアクティブにデータを交換する。上述されたＣＥＬＬ＿ＦＡＣＨ状態に類似して、アップリンク送信のためのタイミング基準は、ＵＬ ＤＰＣＣＨ １３０２である。ＵＬ ＤＰＣＣＨ １３０２のタイミングは、図１３Ａおよび１３Ｂにそれぞれに示されるように、ＤＰＣＨ １３１０またはＦ−ＤＰＣＨ １３２０のタイミングから導き出される。ここで、ＤＰＣＨ １３１０およびＦ−ＤＰＣＨ １３２０は、それぞれ、セルＰ−ＣＣＰＣＨからのτＤＰＣＨおよびτＦ−ＤＰＣＨタイミングオフセットを有する。さらに、τＤＰＣＨ,ｎ＝Ｔｎ×２５６チップであり、τＦ−ＤＰＣＨ，ｐ＝Ｔｐ×２５６チップである。ここで、Ｔｎ、Ｔｐは、｛０，１，…，１４９｝の範囲内である。
【００５９】
ＵＬ ＤＰＣＣＨに対応するスクランブリングコードインデックス、ベータ因子、τＤＰＣＨおよびτＦ−ＤＰＣＨオフセットは、通常、ラジオベアラ構成（ＲＢ Config.）またはラジオベアラ再構成（RB Re-config.）メッセージを通してノードＢからＵＥにシグナリングされる。
【００６０】
スニッフするために使用される検出パラメータ：  ＦＡＰは、支援情報を取得するために、ＵＥからのアップリンク送信をスニッフしうる。アップリンク送信の検出のためにＦＡＰによって利用されるパラメータ、これらパラメータの可能な値、およびこれら値のソースが表３に提示される。
【表３】
0005575932.tif 000004
【００６１】
表３に提示されるほぼ全てのパラメータは、ＵＥによってランダムに選択される、プリアンブルシグネチャを除いて、ブロードキャストまたは専用メッセージでマクロセルからＵＥに提供される。よって、ＦＡＰは、ＯＯＢリンクを通してＵＥからこの情報を取得することが必要なはずである。
【００６２】
情報のサブセットのみが利用可能な場合、ＦＡＰはマクロセルタイミング情報を取得するために未知のパラメータの可能性の完全サーチを行いうる。ＵＥに対するＵＬ ＤＰＣＣＨスクランブリングコードのサーチ空間が非常に大きい（すなわち、２２４である）ため、ＵＥのＵＬ ＤＰＣＣＨスクランブリングコードが既知であるときにＵＬ ＤＰＣＣＨ検出が使用される場合にシステムが役立つ。
【００６３】
スロットおよびフレームタイミング決定：  ＰＲＡＣＨプリアンブル、ＣＥＬＬ＿ＦＡＣＨにおけるＰＲＡＣＨメッセージ部、ＣＥＬＬ＿ＦＡＣＨにおけるＵＬ ＤＰＣＣＨ、ＣＥＬＬ＿ＤＣＨにおけるＵＬ ＤＰＣＣＨを用いたＰ−ＣＣＰＣＨのスロットまたはフレームタイミングの検出が図１４乃至１７に示される。各図において、Ｐ−ＣＣＰＣＨのスロットタイミングの決定に使用されるステップの順序も述べられる。これら検出プロセスの各々を示すフローチャートが図１８Ｂに提示される。図１８Ａは、スロットまたはフレームタイミングの決定前の予備的手順の詳細を示す一般的プロセスを示す。
【００６４】
図１８Ａにおいて、プロセスは、ＵＥが存在する状態に依存する。ＵＥがＣＥＬＬ＿ＦＡＣＨ状態である場合、ブロック１８０１において、プロセスは、隣接ノードＢまたはＲＮＣのようなネットワークノードから情報を取得するために、例えば、バックホール接続を利用して検出パラメータを受信する。ブロック１８０３において、プロセスは、図１８Ｂに示されるような、ＵＥからのアップリンク情報の受信に利用されるべきセルについての情報をブロック１８０１で取得されたＳＩＢ情報から抽出する。ＵＥがＣＥＬＬ＿ＤＣＨ状態にある場合、ブロック１８０５において、プロセスは、隣接ノードＢまたはＲＮＣのようなネットワークノードから情報を取得するために、例えば、バックホール接続を用いて検出パラメータを受信する。ブロック１８０７において、プロセスは、図１８Ｂに示されるようにＵＥからのアップリンク情報の受信に利用されるべきセルおよびＵＥについての情報を、ブロック１８０５で検出されたラジオベアラメッセージから抽出する。
【００６５】
図１４は、ＣＥＬＬ＿ＦＡＣＨ状態におけるＰＲＡＣＨプリアンブルを使用したＰ−ＣＣＰＣＨのスロットタイミングの決定を示す。図１５は、ＣＥＬＬ＿ＦＡＣＨ状態におけるＰＲＡＣＨメッセージ部を使用したＰ−ＣＣＰＣＨのスロットタイミングの決定を示す。図１８Ｂで示されるように、ブロック１８０２において、プロセスは、セルがＣＥＬＬ＿ＦＡＣＨ状態であるか、ＣＥＬＬ＿ＤＣＨ状態であるかを決定する。ＵＥ状態がＣＥＬＬ＿ＦＡＣＨ状態であるとプロセスが決定すると、プロセスは、ブロック１８０４へと分岐する。ブロック１８０４において、プロセスは、ＵＥがプレリリース８のＵＥであるか否かを決定する。ＵＥがプレリリース８のＵＥである場合、プロセスはブロック１８０６へと分岐する。ブロック１８０６において、プロセスは、ＰＲＡＣＨプリアンブルまたはメッセージ部が検出されたか否かを決定する。ＰＲＡＣＨプリアンブルまたはメッセージ部が検出されなかった場合、プロセスは最初に戻る。ＰＲＡＣＨプリアンブルまたはメッセージ部が、それぞれ図１４の丸印１または図１５の丸印１で示されるように、検出された場合、プロセスはブロック１８０８へと分岐する。ブロック１８０８において、プロセスは、ＰＲＡＣＨプリアンブルの場合は図１４の丸印２で示されるように、メッセージ部の場合は図１５の丸印２で示されるように、プリアンブルに対するマクロセルのＡＣＫ／ＮＡＫ応答を搬送するＡＩＣＨからのオフセットを決定する。ブロック１８１０において、プロセスは、ＰＲＡＣＨプリアンブルの場合は図１４の丸印３で示されるように、メッセージ部の場合は図１５の丸印３で示されるように、ＡＩＣＨアクセススロット＃０およびＰ−ＣＣＰＣＨスロットの開始の関係を使用してＰ−ＣＣＰＣＨスロット境界を決定する。
【００６６】
図１８Ｂで示されるように、ブロック１８０２において、ＵＥ状態がＣＥＬＬ＿ＦＡＣＨ状態であると決定されると、プロセスはブロック１８０４に分岐される。ブロック１８０４において、ＵＥがプレリリース８のＵＥではないと決定されると、プロセスはブロック１８１２に分岐する。ブロック１８１２において、プロセスは、ＰＲＡＣＨプリアンブル、メッセージ部、またはＵＬ ＤＰＣＣＨが検出されるか否かを決定する。ＰＲＡＣＨプリアンブル、メッセージ部、またはＵＬ ＤＰＣＣＨが検出されなかった場合、プロセスは開始に戻る。ＰＲＡＣＨプリアンブル、メッセージ部、またはＵＬ ＤＰＣＣＨが検出されると、プロセスはブロック１８１４に分岐する。ブロック１８１４において、プロセスは、ＰＲＡＣＨプリアンブルまたはメッセージ部が検出されるか否かを決定する。ＰＲＡＣＨプリアンブルまたはメッセージ部が検出されると、プロセスは、ブロック１８１８に分岐する。ブロック１８１８において、プロセスは、ＰＲＡＣＨプリアンブルの場合は図１４の丸印２で示されるように、メッセージ部の場合は図１５の丸印２で示されるように、プリアンブルに対するマクロセルのＡＣＫ／ＮＡＫ応答を搬送する、ＡＩＣＨからのオフセットを決定する。ブロック１８２０において、プロセスは、ＰＲＡＣＨプリアンブルの場合は図１４の丸印３で示されるように、メッセージ部の場合は図１５の丸印３で示されるように、ＡＩＣＨアクセススロット＃０およびＰ−ＣＣＰＣＨスロットの開始の関係を使用して、Ｐ−ＣＣＰＣＨスロット境界を決定する。
【００６７】
図１６は、ＣＥＬＬ＿ＦＡＣＨ状態におけるＵＬ ＤＰＣＣＨを使用したＰ−ＣＣＰＣＨのスロットタイミングの決定を示す。図１８Ｂで示されるように、ブロック１８０２において、ＵＥ状態がＣＥＬＬ＿ＦＡＣＨ状態であると決定されると、プロセスは、ブロック１８０４に分岐される。ブロック１８０４において、ＵＥがプレリリース８のＵＥではないと決定されると、プロセスはブロック１８１２に分岐する。ブロック１８１２において、プロセスは、ＰＲＡＣＨプリアンブル、メッセージ部、またはＵＬ ＤＰＣＣＨが検出されるか否かを決定する。ＰＲＡＣＨプリアンブル、メッセージ部、またはＵＬ ＤＰＣＣＨが検出されなかった場合、プロセスは開始に戻る。ＰＲＡＣＨプリアンブル、メッセージ部、またはＵＬ ＤＰＣＣＨが検出されると、プロセスはブロック１８１４に分岐する。ブロック１８１４において、プロセスは、ＰＲＡＣＨプリアンブルまたはメッセージ部が検出されたか否かを決定する。ＰＲＡＣＨプリアンブルおよびメッセージ部が検出されなかった場合、プロセスは、ブロック１８１６に分岐する。ブロック１８１６において、プロセスは、図１６の丸印２で示されるように、ＵＬ−ＤＰＣＣＨとＦ−ＤＰＣＨとの関係を用いて、Ｆ−ＤＰＣＨからのオフセットを決定する。ブロック１８１８において、プロセスは、図１６の丸印３で示されるように、プリアンブルに対するマクロセルのＡＣＫ／ＮＡＫ応答を搬送するＡＩＣＨからのオフセットを決定する。ブロック１８２０において、プロセスは、図１６の丸印４で示されるように、ＡＩＣＨアクセススロット＃０およびＰ−Ｃ%ＣＰＣＨスロットの開始の関係を用いて、Ｐ−ＣＣＰＣＨスロット境界を決定する。
【００６８】
図１７は、ＣＥＬＬ＿ＤＣＨ状態において、ＵＬ−ＤＰＣＣＨを用いるＰ−ＣＣＰＣＨのスロットおよびフレームタイミングの決定を示す。図１８に示されるように、ブロック１８０２において、ＵＥ状態がＣＥＬＬ＿ＤＣＨ状態であると決定されると、プロセスはブロック１８２２へと分岐する。ブロック１８２２において、プロセスは、丸印１で示されるようにＵＬ ＤＰＣＣＨが検出されたか否かを決定する。ＵＬ ＤＰＣＣＨが検出されなかった場合、プロセスは開始に戻る。ＵＬ ＤＰＣＣＨがダウンリンク上で検出された場合、ブロック１８２４において、図１７の丸印２で示されるように、プロセスは、ＤＰＣＨ １３１０またはＦ−ＤＰＣＨ １３２０のオフセットを決定する（図１３Ａおよび１３Ｂ参照）。ブロック１８２６において、プロセスは、図１７の丸印３で示されるように、Ｐ−ＣＣＰＣＨフレーム境界を決定する。ブロック１８２８において、プロセスは、図１７の丸印４で示されるようにＰ−ＣＣＰＣＨスロット境界を決定する。
【００６９】
本明細書に例示および記述された例示的なシステムの観点から、開示された主題に従って実装されうる方法は、様々なフローチャートを参照してよく解るはずである。説明の簡潔さのために、この方法は、一連の動作／ブロックで提示および記述されているが、いくつかのブロックは、本明細書に描写および記述されたものとは異なる順序で、および／または、他のブロックと実質的に同時に起こりうるため、請求される主題がこのブロックの数または順序によって制限されないことは理解および認識されるべきである。さらに、本明細書に記述された方法を実装するために示された全てのブロックが要求されるわけでない。ブロックと関連した機能が、ソフトウェア、ハードウェア、およびこれらの組み合わせ、または任意の他の適切な手段（例えば、デバイス、プロセス、またはコンポーネント）によって実装されうることは認識されるべきである。加えて、本明細書全体を通して開示される方法が、様々なデバイスへのそのような方法の移送および転送を容易にするために、製品（article of manufacture）に格納可能であることはさらに認識されるべきである。当業者は、方法が、状態ダイアグラムのように、一連の相関状態またはイベントとして、別の方法で表されうることを理解および認識するはずである。
【００７０】
本開示の主題の１または複数の態様に従って、ＦＡＰの周波数およびタイミング同期のための方法が提供される。図１９を参照すると、ＦＡＰやそのコンポーネントによって行われうる方法１９００が示される。方法１９００は、１９１０で、少なくとも１つのＵＥとＯＯＢリンク（例えば、ブルートゥースリンク等）を確立することを含みうる。方法１９００は、１９２０で、ＯＯＢリンクを介して少なくとも１つのＵＥから支援パラメータを受信することを含みうる。方法１９００は、１９３０で、支援パラメータに少なくとも部分的に基づいて少なくとも１つのＵＥの少なくとも１つのアップリンクパケットから周波数およびタイミング情報を抽出することを含みうる。
【００７１】
図２０Ａを参照すると、周波数およびタイミング同期のためにＦＡＰによって行われるオプションの方法１９００のさらなる動作や態様が示される。図２０Ａ〜Ｂに示されるブロックが方法１９００を行うために必要でないことに注意されたい。方法１９００が、図２０Ａ〜Ｂの少なくとも１つのブロックを含む場合、方法１９００は、少なくとも１つのブロックの後に終了し、示されうる任意の後続のダウンストリームブロックを必ずしも含むわけではない。多数のこれらブロックが、方法１９００に従ってこれらブロックが行われうる特定の順序を暗示しないことにさらに注意されたい。例えば、支援パラメータを受信することは、１９４０で、ＵＥ状態、ＵＥテクノロジタイプ、および少なくとも１つのＵＥからのチャネル検出パラメータ（例えば、スクランブリングコード）のうちの少なくとも１つに関する情報を受信することを含みうる。代わりに、あるいは加えて、支援パラメータを受信することは、１９５０で、ＯＯＢリンクを介して少なくとも１つのＵＥからの支援パラメータを要求することを含みうる。周波数およびタイミング情報を抽出することは、１９６０で、少なくとも１つのＵＥからネットワークエンティティ（例えば、ノードＢまたはｅＮＢ）への少なくとも１つのアップリンクパケットをスニッフすることを含みうる。
【００７２】
関連態様において、周波数およびタイミング情報を抽出することは、１９７０で、少なくとも１つのＵＥがＣＥＬＬ＿ＦＡＣＨ状態であることに応じて、少なくとも１つのＵＥがブロードキャストされたシステム情報としてマクロ基地局から受信した少なくとも１つのＵＥについてのシグネチャ、拡散コード、およびスクランブリングコードに関する情報をＯＯＢリンクを介して取得することを含みうる。抽出することは、さらに、１９７２で、取得された情報に少なくとも部分的に基づいてタイミングおよび周波数情報を決定することを含みうる。
【００７３】
図２０Ｂを参照すると、さらなる関連態様において、周波数およびタイミング情報を抽出することは、１９８０で、少なくとも１つのＵＥがＣＥＬＬ＿ＤＣＨ状態であることに応じて、支援パラメータに少なくとも部分的に基づいて、拡散コード、スクランブリングコード、およびタイミングオフセットに関する情報を取得することを含みうる。抽出することは、１９８２で、取得された情報に少なくとも部分的に基づいてタイミングおよび周波数情報を決定することをさらに含みうる。取得することは、１９８４で、ＦＡＰが少なくとも１つのＵＥのアクティブセットにあることに応じて、少なくとも１つのＵＥから情報を取得することを含みうる。あるいは、取得することは、１９８６で、ＦＡＰが少なくとも１つのＵＥのアクティブセットにないことに応じてＯＯＢリンクから情報を取得することを含みうる。
【００７４】
さらなる関連態様において、スニッフすることは、１９９０で、マクロ基地局がｅＮＢを備え、ＵＥがＬＴＥ接続モードであることに応じて、接続モードのＬＴＥ ＵＥによって使用されるＬＴＥチャネル、物理ランダムアクセスチャネル（ＰＲＡＣＨ）、復調基準信号（ＤＭＲＳ）、少なくとも１つのＵＥとマクロ基地局との間のサウンディング基準信号（ＳＲＳ）のうちの少なくとも１つにおいて情報をモニタすることを含みうる。スニッフすることは、１９９２で、モニタされた情報に少なくとも部分的に基づいてタイミングおよび周波数情報を決定することをさらに含みうる。
【００７５】
関連態様において、ＰＲＡＣＨパラメータは、（ａ）ＰＲＡＣＨ＿Ｃｏｎｆｉｇ、（ｂ）ＰＲＡＣＨ＿Ｍａｐｐｉｎｇ、（ｃ）ＰＲＡＣＨ＿ＰｒｍｂｌｅＩｎｄｅｘ、（ｄ）ＰＲＡＣＨ＿ＲＢＯｆｆｓｅｔ、（ｅ）ＰＲＡＣＨ＿ｕ、（ｆ）ＰＲＡＣＨ＿Ｎｃｓ、および／または（ｇ）ＰＲＡＣＨ＿ＰｗｒＯｆｆｓｅｔを含みうる。同じように、ＬＴＥアップリンク信号のためのＰＲＡＣＨパラメータは、（ａ)ＰＲＡＣＨ構成インデックス、（ｂ）ＰＲＡＣＨマッピングパターン（ＦＤＤの場合、それは、プリアンブルが開始するサブフレーム番号を示し、ＴＤＤの場合、それは、時間および周波数におけるプリアンブルマッピングパターンのインデックスを示す）、（ｃ）プリアンブルインデックス（例えば、与えられたセルにおいて利用可能な６４個のプリアンブルからプリアンブルシーケンスを選択するために使用される）、（ｄ）ＰＲＡＣＨ周波数オフセット（例えば、ＰＲＡＣＨに対して利用可能な第１のＲＢ）、（ｅ）ルートＺａｄｏｆｆ−Ｃｈｕ（Ｚｕ）シーケンス（ｕ）の論理インデックス、（ｆ）ＺＣシーケンスのサイクリックシフト、および／または、（ｇ）ＰＲＡＣＨのためのｄＢ単位での電力オフセットを含みうる。
【００７６】
さらなる関連態様において、ＤＭＲＳパラメータは、(ａ）物理アップリンク共有チャネル（ＰＵＳＣＨ）パラメータ、（ｂ）物理アップリンク制御チャネル（ＰＵＣＣＨ）パラメータ、（ｃ）ＧｒｏｕｐＨｏｐ＿Ｅｎａｂｌｅ、および／または、（ｄ）ＳｅｑＨｏｐ＿Ｅｎａｂｌｅを含み得る。同じように、ＬＴＥアップリンク信号のためのＤＭＲＳパラメータは、（ａ）ＬＴＥアップリンク信号のためのＰＵＳＣＨパラメータ、（ｂ）ＬＴＥアップリンク信号のためのＰＵＣＣＨパラメータ、（ｃ）ＰＵＣＣＨおよびＰＵＳＣＨ上でＤＭＲＳのためのグループホッピングを可能にすべきか否か、および／または、（ｄ）ＰＵＳＣＨ上でＤＭＲＳのためのシーケンスホッピングを可能にすべきか否かを含みうる。全てのＰＵＳＣＨおよびＰＵＣＣＨパラメータがＤＭＲＳに要求されるわけではないことに注意されたい。ＦＡＰは、直交移送シフトキーイング（ＱＰＳＫ）パターンに対するＤＭＲＳパターンの相関プロパティの差を使用することによって、これらチャネル内のＤＭＲＳのロケーションの決定を試みうる。
【００７７】
別の関連態様において、ＳＲＳパラメータは、（ａ）ＳＲＳ＿ＢＷ、（ｂ）ＳＲＳ＿ＳＣ＿Ｓｔａｒｔ、（ｃ）ＳＲＳ＿ＳＦ＿Ｃｏｎｆｉｇ、（ｄ）ＳＲＳ＿ＣＳ、および／または、（ｅ）ＳＲＳ＿ＰｗｒＯｆｆｓｅｔを含みうる。同じように、ＬＴＥアップリンク信号のためのＳＲＳパラメータは、（ａ）ＲＢ単位でのＳＲＳ帯域幅、（ｂ）ＳＲＳの開始サブキャリア、（ｃ）ＳＲＳサブフレーム構成、（ｄ）ＳＲＳのサイクリックシフトの計算に使用される、および／または、（ｅ）ＳＲＳのためのｄＢ単位での電力オフセットを含みうる。
【００７８】
本開示の主題の１または複数の態様に従って、図２１は、モバイルエンティティ（例えばＵＥ）またはそのコンポーネントによるＦＡＰ同期のための方法２１００を示す。方法２１００は、２１１０で、ＯＯＢリンクがＦＡＰと確立されるか否かを決定することを含みうる。方法２１００は、２１２０で、ＯＯＢリンクが確立されたとの決定することに応じて、ＯＯＢリンクを介して支援パラメータをＦＡＰに提供することを含みうる。関連態様において、ＯＯＢリンクが確立されていないとＵＥが決定すると、ＵＥは、ＦＡＰにページングすることによってこの接続を確立することを選択しうる。
【００７９】
図２２Ａを参照すると、ＦＡＰ同期のためにＵＥによって行われうるオプションの方法２１００のさらなる動作また態様が示される。図２２Ａ〜Ｂに示されるブロックが方法２１００を行うために必要でないことに注意されたい。方法２１００が、図２２Ａ〜Ｂの少なくとも１つのブロックを含む場合、方法２１００は、示されうる何等かの後続のダウンストリームブロックを含むことを必要とせずに少なくとも１つのブロックの後に終了しうる。多数のこれらブロックは、これらブロックが方法２１００に従って行われうる特定の順序を暗示しないことにさらに注意されたい。例えば、図２２Ａを参照すると、支援パラメータを提供することが、２１３０で、ＵＥ状態、ＵＥテクノロジタイプ（例えば、ＵＭＴＳ、ＬＴＥなど）、およびチャネル検出パラメータのうちの少なくとも１つについての情報をＦＡＰに送ることを含みうる。方法２１００は、さらに、２１４０で、少なくとも１つのアップリンクパケットをネットワークエンティティに送ることを含みうる。
【００８０】
関連態様において、方法２１００は、２１５０で、ＵＥがＣＥＬＬ＿ＦＡＣＨ状態であることに応じてネットワークエンティティからブロードキャストされたシステム情報を受信することをさらに含みうる。方法２１００は、さらに、２１５２で、ブロードキャストされたシステム情報をＦＡＰに送ることを含みうる。送ることは、２１５４で、ＯＯＢリンクを介して、ブロードキャストされたシステム情報をＦＡＰに送ることを含みうる。
【００８１】
さらなる関連態様において、方法２１００は、さらに、２１６０で、ＵＥがＣＥＬＬ＿ＤＣＨ状態であることに応じてネットワークエンティティから専用シグナリング情報を受信することを含みうる。方法２１００は、さらに、２１６２で、拡散コード、スクランブリングコード、タイミグオフセットに関するシグナリング情報を、ＯＯＢリンクを通してＦＡＰに提供することを含みうる。
【００８２】
さらなる関連態様において、方法２１００は、さらに、２１７０で、ＯＯＢリンクがまだ確立されていないとの決定に応じてＯＯＢリンクの確立を開始することを含みうる。提供することは、２１８０で、ＯＯＢリンクを介したＦＡＰへの支援パラメータの転送を開始することを含みうる。またさらなる関連態様において、方法２１００は、２１９０で、ＯＯＢリンクが確立されていないとの決定に応じて、ＯＯＢリンクを確立するようにＦＡＰにページングすることを含みうる。
【００８３】
図２２ＡにおけるこれらブロックはＵＭＴＳまたはＬＴＥに対して適応可能であることに注意されたい。図２２Ｂを参照すると、ＬＴＥ専用のブロックが提供される。例えば、方法２１００は、さらに、２２１０で、ネットワークエンティティに少なくとも１つのアップリンクパケットを送ることを含む。関連態様において、方法２１００は、さらに、２２００で、ＵＥがＬＴＥ接続状態であることに応じて、ネットワークエンティティからブロードキャストされたシステム情報および／または専用システム情報を受信することを含みうる。方法２１００は、さらに、２２２２で、ブロードキャストされたシステム情報および／または専用シグナリング情報をＦＡＰに送ることを含みうる。送ることは、ＯＯＢリンクまたは同様のものを介して、ブロードキャストされたシステム情報および／または専用シグナリング情報をＦＡＰに送ることを含みうる。さらなる関連態様において、方法２１００は、さらに、２２３０で、ＯＯＢリンクがまだ確立されていないとの決定に応じて、ＯＯＢリンクの確立を開始することを含みうる。提供することは、２２４０で、ＯＯＢリンクを介したＦＡＰへの支援パラメータの転送を開始することを含みうる。
【００８４】
本明細書に記述された実施形態の１または複数の態様に従って、図１９〜２０Ｂを参照して上述されたように、ＦＡＰの周波数およびタイミング同期のためのデバイスおよび装置が提供される。図２３を参照すると、ＦＡＰとして、あるいは、ＦＡＰ内で使用するためのプロセッサや同様のデバイスとして構成されうる例示的な装置２３００が提供される。装置２３００は、プロセッサ、ソフトウェア、またはこれらの組み合わせ（例えば、ファームウェア）によって実装される機能を代表できる機能ブロックを含みうる。
【００８５】
例えば、図２３の装置２３００は、少なくとも１つのＵＥとＯＯＢリンクを確立するための電子コンポーネントまたはモジュール２３０２を備えうる。装置２３００は、ＯＯＢリンクを介して少なくとも１つのＵＥから支援パラメータを受信するための電子コンポーネント２３０４を備えうる。装置２３００は、支援パラメータに少なくとも部分的に基づいて少なくとも１つのＵＥの少なくとも１つのアップリンクパケットから周波数およびタイミング情報を抽出するための電子コンポーネント２３０６を備えうる。
【００８６】
関連態様において、装置２３００は、装置２３００がプロセッサとしてよりもむしろネットワークエンティティとして構成される場合に、少なくとも１つのプロセッサを有するプロセッサコンポーネント２３１０をオプションで含みうる。プロセッサ２３１０は、この場合、バス２３１２または同様の通信カップリングを介してコンポーネント２３０２〜２３０６と有効な(operative)通信状態になりうる。プロセッサ２３１０は、電子コンポーネント２３０２〜２３０６によって行われるプロセスまたは機能の開始およびスケジューリングを行いうる。
【００８７】
さらなる関連態様において、装置２３００は、ラジオトランシーバコンポーネント２３１４を含みうる。独立型受信機および／または独立型送信機が、トランシーバ２３１４の代わりに、あるいは、それと共に使用されうる。装置２３００は、例えば、メモリデバイス／コンポーネント２３１６のような情報を格納するためのコンポーネントをオプションで含みうる。コンピュータ可読媒体またはメモリコンポーネント２３１６は、バス２３１２等を介して、装置２３００の他のコンポーネントに動作的に結合されうる。メモリコンポーネント２３１６は、コンポーネント２３０２〜２３０６およびその従属コンポーネント、あるいは、プロセッサ２３１０、または本明細書に開示された方法のプロセスおよび振る舞いを行うためのコンピュータ可読命令およびデータを格納することに適応しうる。メモリコンポーネント２３１６は、コンポーネント２３０２〜２３０６と関連付けられた機能を実行するための命令を保持しうる。プロセッサ２３１０、トランシーバ２３１４、メモリ２３１６の外部にあるように示されているが、コンポーネント２３０２〜２３０６のうちの１または複数はプロセッサ２３１０、トランシーバ２３１４、および／またはメモリ２３１６の内部にありうることが理解されるべきである。
【００８８】
本明細書に記述された実施形態の１または複数の態様に従って、図１９〜２２Ｂを参照して上述されたように、ＦＡＰの同期を容易にするように構成されるデバイスおよび装置（例えば、モバイルエンティティ）が提供される。図２４を参照すると、装置２４００は、ＯＯＢリンクがＦＡＰと確立されるかを決定するための電子コンポーネントまたはモジュール２４０２を備えうる。装置２４００は、ＯＯＢリンクが確立されたとの決定に応じて、ＯＯＢリンクを介してＦＡＰに支援パラメータを提供するための電子コンポーネント２４０４を備えうる。簡潔さのために、装置２４００についての他の詳細がさらに説明されることはないが、装置２４００の他の特徴および態様が、図２３の装置２３００を参照して上述されたものと実質的に同様であることは理解されるべきである。
【００８９】
当業者は、情報および信号が様々な異なるテクノロジおよびテクニックのいずれかを用いて表されることを理解するはずである。例えば、上の記述全体を通して参照されうるデータ、命令、コマンド、情報、信号、ビット、シンボル、チップは、電圧、電流、電磁波、磁場または粒子、光電場または光粒子、あるいは、これらの任意の組み合わせによって表されうる。
【００９０】
当業者はさらに、本明細書に開示された実施形態と関連して記述されている様々な実例となる論理ブロック、モジュール、回路、アルゴリズムステップが電子ハードウェア、コンピュータソフトウェアまたは両方の組み合わせとして実装できることをが解るはずである。このハードウェアとソフトウェアの互換性を明確に示すために、様々な実例となるコンポーネント、ブロック、モジュール、回路、ステップが、これらの機能性という観点で概ね上述されている。ハードウェアまたはソフトウェアとしてそのような機能性が実装されるか否かは、特定のアプリケーションとシステム全体に課された設計の制約とに依存する。当業者は上述された機能性を特定アプリケーションごとに様々な形式で実装できるが、このような実装の決定は本開示の範囲からの逸脱をさせるものとして解釈されるべきでない。
【００９１】
本明細書の開示と関連して記述された様々な実例の論理ブロック、モジュール、および回路は、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは、本明細書で述べた機能を行うように設計されたこれらの任意の組み合わせで実装または行いうる。汎用プロセッサはマイクロプロセッサでありうるが、代わりに任意の従来のプロセッサ、コントローラ、マイクロコントローラ、またはステートマシンでありうる。また、プロセッサは例えばＤＳＰとマクロプロセッサ、複数のマイクロプロセッサ、ＤＳＰコアに結合した１または複数のマイクロプロセッサ、その他の上記構成の組み合わせのような計算デバイスの組み合わせとしても実装されうる。
【００９２】
本明細書の開示に関して示される方法またはアルゴリズムのステップは、直接的にハードウェアに、プロセッサによって実行されるソフトウェアモジュールに、またはこれら二つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において周知の記憶媒体の任意の他の形態に常駐しうる。例示的な記憶媒体は、プロセッサが情報を記憶媒体から読み取り、情報を記憶媒体に書き込むことができるようにプロセッサに結合される。代わりに、記憶媒体はプロセッサと一体化されうる。プロセッサおよび記憶媒体はＡＳＩＣに常駐しうる。ＡＳＩＣはユーザ端末に常駐しうる。代わりに、プロセッサおよび記憶媒体は個別のコンポーネントとしてユーザ端末に常駐しうる。
【００９３】
１または複数の例示的な設計において、記述された複数の機能はハードウェア、ソフトウェア、ファームウェア、またはこれらの任意の組み合わせで実装されうる。ソフトウェアで実装された場合、これら機能はコンピュータ可読媒体上の１または複数の命令またはコードとして格納または送信されうる。コンピュータ可読媒体は、コンピュータ記憶媒体と、ある箇所から別の箇所へのコンピュータプログラム移送を容易にする任意の媒体を含む通信媒体との両方を含む。記憶媒体は、汎用コンピュータまたは専用コンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、汎用コンピュータまたは専用コンピュータ、あるいは、汎用プロセッサまたは専用プロセッサによってアクセスされることができ、命令やデータ構造形で所望のプログラムコード手段を搬送または格納するために使用されうる任意の別媒体を備えうる。任意の接続も当然コンピュータ可読媒体と呼ばれる。例えば、同軸ケーブル、光ファイバーケーブル、撚線対、デジタル加入者回線（ＤＳＬ）、または非一時的なワイヤレステクノロジを使用してウェブサイト、サーバ、または他のリモートソースからソフトウェアが送信されると、この同軸ケーブル、光ファイバーケーブル、撚線対、ＤＳＬ、または非一時的なワイヤレステクノロジは媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲に含まれるべきである。
【００９４】
本開示の上述記載は、当業者が本開示を実施および使用することを可能にするために提供される。本開示に対する様々な変形は当業者にとってすぐにわかるものであり、本明細
書で定義された包括的原理は本開示の精神または範囲を逸脱することなく他の開示に適用可能である。従って、本開示は、本明細書に記載された例および設計に制限されることを意図せず、本明細書に開示された原理および新規な特徴とに合致する最も広い範囲が与えられるべきである。
なお、以下に、出願当初の特許請求の範囲に記載された発明を付記する。
［Ｃ１］
フェムトアクセスポイント（ＦＡＰ）による周波数およびタイミング同期のための方法であって、
少なくとも１つのユーザ機器（ＵＥ）と帯域外（ＯＯＢ）リンクを確立することと、
前記ＯＯＢリンクを介して前記少なくとも１つのＵＥから支援パラメータを受信することと、
前記支援パラメータに少なくとも部分的に基づいて前記少なくとも１つのＵＥの少なくとも１つのアップリンクパケットから周波数およびタイミング情報を抽出することと
を備える方法。
［Ｃ２］
前記支援パラメータを受信することは、ＵＥ状態、ＵＥテクノロジタイプ、およびチャネル検出パラメータのうちの少なくとも１つに関する情報を前記少なくとも１つのＵＥから受信することを備える、Ｃ１に記載の方法。
［Ｃ３］
前記チャネル検出パラメータはスクランブリングコードを備える、Ｃ２に記載の方法。
［Ｃ４］
受信することは、前記ＯＯＢリンクを介して前記少なくとも１つのＵＥからの前記支援パラメータを要求することを備える、Ｃ１に記載の方法。
［Ｃ５］
抽出することは、前記少なくとも１つのＵＥからネットワークエンティティへの前記アップリンクパケットをスニッフすることを備える、Ｃ１に記載の方法。
［Ｃ６］
前記ネットワークエンティティはマクロ基地局を備える、Ｃ５に記載の方法。
［Ｃ７］
前記マクロ基地局はノードＢおよび発展型ノードＢ（ｅＮＢ）のうちの１つを備える、Ｃ６に記載の方法。
［Ｃ８］
抽出することは、
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定することと
を備える、Ｃ６に記載の方法。
［Ｃ９］
抽出することは、
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得することと、
前記取得された情報に少なくとも部分的に基づいてタイミングおよび周波数情報を決定することと
を備える、Ｃ６に記載の方法。
［Ｃ１０］
取得することは、前記ＦＡＰが前記少なくとも１つのＵＥのアクティブセット内にあることに応じて前記少なくとも１つのＵＥから前記情報を取得することを備える、Ｃ９に記載の方法。
［Ｃ１１］
取得することは、前記ＦＡＰが前記少なくとも１つのＵＥのアクティブセット内にないことに応じて前記ＯＯＢリンクから前記情報を取得することを備える、Ｃ９に記載の方法。
［Ｃ１２］
スニッフすることは、
前記マクロ基地局がｅＮＢを備えることに応じて、前記少なくとも１つのＵＥと前記ｅＮＢとの間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定することと
を備える、Ｃ７に記載の方法。
［Ｃ１３］
前記ＯＯＢリンクはブルートゥースリンクを備える、Ｃ１に記載の方法。
［Ｃ１４］
フェムトセルアクセスポイント（ＦＡＰ）の周波数およびタイミング同期のための装置であって、
少なくとも１つのユーザ機器（ＵＥ）と帯域外（ＯＯＢ）リンクを確立し、
前記ＯＯＢリンクを介して前記少なくとも１つのＵＥから支援パラメータを受信し、
前記支援パラメータに少なくとも部分的に基づいて前記少なくとも１つのＵＥの少なくとも１つのアップリンクパケットから周波数およびタイミング情報を抽出するように構成される少なくとも１つのプロセッサと、
データを格納するために前記少なくとも１つのプロセッサに結合されるメモリとを備える装置。
［Ｃ１５］
前記少なくとも１つのプロセッサは、ＵＥ状態、ＵＥテクノロジタイプ、およびチャネル検出パラメータのうちの少なくとも１つに関する情報を前記少なくとも１つのＵＥから受信することによって前記支援パラメータを受信する、Ｃ１４に記載の装置。
［Ｃ１６］
前記少なくとも１つのプロセッサは、前記ＯＯＢリンクを介して前記少なくとも１つのＵＥからの前記支援パラメータを要求する、Ｃ１４に記載の装置。
［Ｃ１７］
前記少なくとも１つのプロセッサは、前記少なくとも１つのＵＥからネットワークエンティティへの前記少なくとも１つのアップリンクパケットをスニッフすることによって抽出する、Ｃ１４に記載の装置。
［Ｃ１８］
前記ネットワークエンティティはマクロ基地局を備える、Ｃ１７に記載の装置。
［Ｃ１９］
前記少なくとも１つのプロセッサは、
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定することとによって抽出する、Ｃ１８に記載の装置。
［Ｃ２０］
前記少なくとも１つのプロセッサは、
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得することと、
前記取得された情報に少なくとも部分的に基づいてタイミングおよび周波数情報を決定することとによって抽出する、Ｃ１８に記載の装置。
［Ｃ２１］
前記少なくとも１つのプロセッサは、
前記マクロ基地局が発展型（ｅＮＢ）を備えることに応じて、前記少なくとも１つのＵＥと前記ｅＮＢとの間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定することとによってスニッフする、Ｃ１８に記載の装置。
［Ｃ２２］
装置であって、
少なくとも１つのユーザ機器（ＵＥ）と帯域外（ＯＯＢ）リンクを確立するための手段と、
前記ＯＯＢリンクを介して前記少なくとも１つのＵＥから支援パラメータを受信するための手段と、
前記支援パラメータに少なくとも部分的に基づいて前記少なくとも１つのＵＥの少なくとも１つのアップリンクパケットから周波数およびタイミング情報を抽出するための手段と
を備える、装置。
［Ｃ２３］
前記少なくとも１つのＵＥからＵＥ状態、ＵＥテクノロジタイプ、およびチャネル検出パラメータのうちの少なくとも１つに関する情報を受信するための手段をさらに備える、
Ｃ２２に記載の装置。
［Ｃ２４］
前記ＯＯＢリンクを介して前記少なくとも１つのＵＥからの前記支援パラメータを要求するための手段をさらに備える、Ｃ２２に記載の装置。
［Ｃ２５］
前記少なくとも１つのＵＥからネットワークエンティティに前記少なくとも１つのアップリンクパケットをスニッフするための手段をさらに備える、Ｃ２２に記載の装置。
［Ｃ２６］
前記ネットワークエンティティは、マクロ基地局を備える、Ｃ２５に記載の装置。
［Ｃ２７］
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥに関するシグネチャ、拡散コード、およびスクランブリングコードに関する情報を前記ＯＯＢリンクを介して取得するための手段と、
前記取得された情報に少なくとも部分的に基づいて前記タイミングおよび周波数情報を決定するための手段と
をさらに備える、Ｃ２６に記載の装置。
［Ｃ２８］
前記少なくとも１つのＵＥがＣＥＬＬ＿ＤＣＨ状態にあることに応じて、前記支援パラメータに少なくとも部分的に基づいて拡散コード、スクランブリングコード、およびタイミングオフセットに関する情報を取得するための手段と、
前記取得された情報に少なくとも部分的に基づいてタイミングおよび周波数情報を決定するための手段と
をさらに備える、Ｃ２６に記載の装置。
［Ｃ２９］
前記少なくとも１つのプロセッサは、
前記マクロ基地局がｅＮＢを備えることに応じて、前記少なくとも１つのＵＥと前記マクロ基地局との間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタするための手段と、
前記モニタされた情報に少なくとも部分的に基づいてタイミングおよび周波数情報を決定するための手段とによってスニッフする、Ｃ２６に記載の装置。
［Ｃ３０］
コンピュータ可読媒体を備えるコンピュータプログラムプロダクトであって、前記コンピュータ可読媒体は、
少なくとも１つのユーザ機器（ＵＥ）と帯域外（ＯＯＢ）リンクを確立することと、
前記ＯＯＢリンクを介して前記少なくとも１つのＵＥから支援パラメータを受信することと、
前記支援パラメータに少なくとも部分的に基づいて前記少なくとも１つのＵＥの少なくとも１つのアップリンクパケットから周波数およびタイミング情報を抽出することと
をコンピュータにさせるためのコードを備えるコンピュータプログラムプロダクト。
［Ｃ３１］
前記コンピュータ可読媒体は、ＵＥ状態、ＵＥテクノロジタイプ、およびチャネル検出パラメータのうちの少なくとも１つに関する情報を前記少なくとも１つのＵＥから受信させることを前記コンピュータにさせるためのコードをさらに備える、Ｃ３０に記載のコンピュータプログラムプロダクト。
［Ｃ３２］
前記コンピュータ可読媒体は、前記ＯＯＢリンクを介して前記少なくとも１つのＵＥからの前記支援パラメータを要求することを前記コンピュータにさせるためのコードをさらに備える、Ｃ３０に記載のコンピュータプログラムプロダクト。
［Ｃ３３］
前記コンピュータ可読媒体は、前記少なくとも１つのＵＥからネットワークエンティティへの前記少なくとも１つのアップリンクパケットをスニッフすることを前記コンピュータにさせるためのコードをさらに備える、Ｃ３０に記載のコンピュータプログラムプロダクト。
［Ｃ３４］
前記ネットワークエンティティはマクロ基地局を備える、Ｃ３３に記載のコンピュータプログラムプロダクト。
［Ｃ３５］
前記コンピュータ可読媒体は、
前記少なくとも１つのＵＥがＣＥＬＬ＿ＦＡＣＨ状態にあることに応じて、前記少なくとも１つのＵＥがブロードキャストされたシステム情報として前記マクロ基地局から受信した前記少なくとも１つのＵＥのためのシグネチャ、拡散コード、およびスクランブリングコードに関する情報を前記ＯＯＢリンクを介して取得することと、
前記取得された情報に少なくとも部分的に基づいて前記タイミングおよび周波数情報を決定させることと  を前記コンピュータにさせるためのコードをさらに備える、Ｃ３４に記載のコンピュータプログラムプロダクト。
［Ｃ３６］
前記コンピュータ可読媒体は、
前記少なくとも１つのＵＥがＣＥＬＬ＿ＤＣＨ状態にあることに応じて、前記支援パラメータに少なく部分的に基づいて、拡散コード、スクランブリングコード、および時間オフセットに関する情報を取得することと、
前記取得された情報に少なくとも部分的に基づいてタイミングおよび周波数情報を決定させることとを前記コンピュータにさせるためのコードをさらに備える、Ｃ３４に記載のコンピュータプログラムプロダクト。
［Ｃ３７］
前記コンピュータ可読媒体は、
前記マクロ基地局がｅＮＢを備えることに応じて、前記少なくとも１つのＵＥと前記マクロ基地局との間で、物理ランダムアクセスチャネル（ＰＲＡＣＨ）、復調基準信号（ＤＭＲＳ）、およびサウンディング基準信号（ＳＲＳ）のうちの少なくとも１つにおける情報をモニタすることと、
前記モニタされた情報に少なくとも部分的に基づいてタイミングおよび周波数情報を決定させることとを前記コンピュータにさせるためのコードをさらに備える、Ｃ３４に記載のコンピュータプログラムプロダクト。
［Ｃ３８］
ユーザ機器（ＵＥ）によるフェムトアクセスポイント（ＦＡＰ）同期のための方法であって、
帯域外（ＯＯＢ）リンクがＦＡＰと確立されたか否かを決定することと、
前記ＯＯＢリンクが確立されたとの決定に応答して、前記ＯＯＢリンクを介して支援パラメータを前記ＦＡＰに提供することと
を備える方法。
［Ｃ３９］
前記支援パラメータを提供することは、ＵＥ状態、ＵＥテクノロジタイプ、およびチャネル検出パラメータのうちの少なくとも１つに関する情報を前記ＦＡＰに送ることを備える、Ｃ３８に記載の方法。
［Ｃ４０］
前記チャネル検出パラメータはスクランブリングコードを備える、Ｃ３９に記載の方法。
［Ｃ４１］
少なくとも１つのアップリンクパケットをネットワークエンティティに送ることをさらに備える、Ｃ３８に記載の方法。
［Ｃ４２］
前記ネットワークエンティティはマクロ基地局を備える、Ｃ４１に記載の方法。
［Ｃ４３］
記マクロ基地局はノードＢおよび発展型ノードＢ（ｅＮＢ）のうちの１つを備える、Ｃ４２に記載の方法。
［Ｃ４４］
前記ＵＥがＣＥＬＬ＿ＦＡＣＨ状態にあることに応じて、前記ネットワークエンティティからブロードキャストされたシステム情報を受信することと、
前記ブロードキャストされたシステム情報を前記ＦＡＰに送ることと、
をさらに備える、Ｃ４１に記載の方法。
［Ｃ４５］
送ることは、前記ブロードキャストされたシステムを前記ＯＯＢリンクを介して前記ＦＡＰに送ることを備える、Ｃ４４に記載の方法。
［Ｃ４６］
前記ＵＥがＣＥＬＬ＿ＤＣＨ状態にあることに応じて、前記ネットワークエンティティから専用シグナリング情報を受信することと、
ＯＯＢリンクを通して前記ＦＡＰに、拡散コード、スクランブリングコード、および時間オフセットに関する前記シグナリング情報を提供することと
をさらに備える、Ｃ４１に記載の方法。
［Ｃ４７］
前記ＯＯＢリンクがまだ確立されていないとの決定に応じて、前記ＯＯＢリンクの確立を開始することをさらに備える、Ｃ３８に記載の方法。
［Ｃ４８］
提供することは、前記ＯＯＢリンクを介して前記ＦＡＰへの前記支援パラメータの転送を開始することを備える、Ｃ３８に記載の方法。
［Ｃ４９］
前記ＯＯＢリンクが確立されなかったとの決定に応じて、前記ＯＯＢを確立するように
前記ＦＡＰにページングすることをさらに備える、Ｃ３８に記載の方法。
［Ｃ５０］
前記ＵＥがＬＴＥ接続状態にあることに応じて、ブロードキャストされたシステム情報と専用システム情報のうちの少なくとも１つを前記ネットワークエンティティから受信することと、
前記ブロードキャストされたシステム情報および専用シグナリング情報のうちの少なくとも１つをＯＯＢリンクを介して前記ＦＡＰに送ることと
をさらに備える、Ｃ４１に記載の方法。
［Ｃ５１］
ユーザ機器（ＵＥ）によるフェムトアクセスポイント（ＦＡＰ）同期のための装置であって、
帯域外（ＯＯＢ）リンクがＦＡＰと確立されたか否かを決定し、前記ＯＯＢリンクが確立されたとの決定に応じて、前記ＯＯＢリンクを介して前記ＦＡＰに支援パラメータを提供するように構成される少なくとも１つのプロセッサと、
データを格納するために前記少なくとも１つのプロセッサに結合されるメモリと
を備える装置。
［Ｃ５２］
前記少なくとも１つのプロセッサは、ＵＥ状態、ＵＥテクノロジタイプ、およびチャネル検出パラメータのうちの少なくとも１つに関する情報を前記ＦＡＰに送ることによって前記支援パラメータを提供する、Ｃ５１に記載の装置。
［Ｃ５３］
前記少なくとも１つのプロセッサは少なくとも１つのアップリンクパケットをネットワークエンティティに送る、Ｃ５１に記載の装置。
［Ｃ５４］
前記ネットワークエンティティはマクロ基地局を備える、Ｃ５３に記載の装置。
［Ｃ５５］
前記少なくとも１つのプロセッサは、
前記ＵＥがＣＥＬＬ＿ＦＡＣＨ状態にあることに応じて、前記ネットワークエンティティからブロードキャストされたシステム情報を受信し、
前記ブロードキャストされたシステム情報を前記ＦＡＰに送る、Ｃ５３に記載の装置。
［Ｃ５６］
前記少なくとも１つのプロセッサは前記ブロードキャストされたシステムを前記ＦＡＰに前記ＯＯＢリンクを介して送る、Ｃ５５に記載の装置。
［Ｃ５７］
前記少なくとも１つのプロセッサは、
前記ＵＥがＣＥＬＬ＿ＤＣＨ状態であることに応じて、前記ネットワークエンティティから専用シグナリング情報を受信し、
拡散コード、スクランブリングコード、時間オフセットに関する前記シグナリング情報をＯＯＢリンクを通して前記ＦＡＰに提供する、Ｃ５３に記載の装置。
［Ｃ５８］
前記少なくとも１つのプロセッサは、前記ＯＯＢリンクがまだ確立されていないと決定することに応答して、前記ＯＯＢリンクの確立を開始する、Ｃ５１に記載の装置。
［Ｃ５９］
前記少なくとも１つのプロセッサは前記ＯＯＢリンクを介して前記ＦＡＰへの前記支援パラメータの転送を開始する、Ｃ５１に記載の装置
［Ｃ６０］
前記少なくとも１つのプロセッサは、前記ＯＯＢリンクが確立されていないとの決定に応じて前記ＯＯＢリンクを確立するように前記ＦＡＰにページングする、Ｃ５１に記載の装置
［Ｃ６１］
前記少なくとも１つのプロセッサは、
前記ＵＥがＬＴＥ接続状態であることに応じて、ブロードキャストされたシステム情報および専用システム情報のうちの少なくとも１つを前記ネットワークエンティティから受信し、
前記ブロードキャストされたシステム情報および専用シグナリング情報のうちの少なくとも１つをＯＯＢリンクを介して前記ＦＡＰに送る、Ｃ５３に記載の装置
［Ｃ６２］
装置であって、
帯域外（ＯＯＢ）リンクがＦＡＰと確立されたか否かを決定するための手段と、
前記ＯＯＢリンクが確立されたとの決定に応じて、前記ＯＯＢリンクを介して支援パラメータを前記ＦＡＰに提供するための手段と
を備える、装置。
［Ｃ６３］
ＵＥ状態、ＵＥテクノロジタイプ、およびチャネル検出パラメータのうちの少なくとも１つに関する情報を前記ＦＡＰに送るための手段をさらに備える、Ｃ６２に記載の装置。
［Ｃ６４］
ネットワークエンティティに少なくとも１つのアップリンクパケットを送るための手段をさらに備える、Ｃ６２に記載の装置。
［Ｃ６５］
前記ネットワークエンティティはマクロ基地局を備える、Ｃ６４に記載の装置。
［Ｃ６６］
前記ＵＥがＣＥＬＬ＿ＦＡＣＨ状態にあることに応じて、前記ネットワークエンティティからブロードキャストされたシステム情報を受信するための手段と、
前記ブロードキャストされたシステム情報を前記ＦＡＰに送るための手段と
をさらに備える、Ｃ６４に記載の装置。
［Ｃ６７］
前記ＯＯＢリンクを介して前記ブロードキャストされたシステムを前記ＦＡＰに送るための手段をさらに備える、Ｃ６６に記載の装置。
［Ｃ６８］
前記ＵＥがＣＥＬＬ＿ＤＣＨ状態にあることに応じて、前記ネットワークエンティティから専用シグナリング情報を受信するための手段と、
拡散コード、スクランブリングコード、および時間オフセットに関する前記シグナリング情報をＯＯＢリンクを介して前記ＦＡＰに提供するための手段と
をさらに備える、Ｃ６４に記載の装置。
［Ｃ６９］
前記ＯＯＢリンクがまだ確立されていないとの決定に応じて、前記ＯＯＢリンクの確立を開始するための手段をさらに備える、Ｃ６２に記載の装置。
［Ｃ７０］
前記ＯＯＢリンクを介して前記ＦＡＰへの前記支援パラメータの転送を開始するための手段をさらに備える、Ｃ６２に記載の装置。
［Ｃ７１］
前記ＯＯＢリンクが確立されていないとの決定に応じて、前記ＯＯＢリンクを確立するように前記ＦＡＰにページングするための手段をさらに備える、Ｃ６２に記載の装置。
［Ｃ７２］
前記ＵＥがＬＴＥ接続状態であることに応じて、ブロードキャストされたシステム情報および専用システム情報のうちの少なくとも１つを前記ネットワークエンティティから受信するための手段と、
前記ブロードキャストされたシステム情報および専用シグナリング情報のうちの少なくとも１つをＯＯＢリンクを介して前記ＦＡＰに送るための手段と、
さらに備える、Ｃ６４に記載の装置。
［Ｃ７３］
コンピュータ可読媒体を備えるコンピュータプログラムプロダクトであって、前記コンピュータ可読媒体は、
帯域外（ＯＯＢ）リンクがＦＡＰと確立されたか否かを決定することと、
前記ＯＯＢリンクが確立されたとの決定に応答して、前記ＯＯＢリンクを介して支援パラメータを前記ＦＡＰに提供することとをコンピュータにさせるためのコードを備える、
コンピュータプログラムプロダクト。
［Ｃ７４］
前記コンピュータ可読媒体は、ＵＥ状態、ＵＥテクノロジタイプ、およびチャネル検出パラメータのうちの少なくとも１つに関する情報を前記ＦＡＰに送ることを前記コンピュータにさせるためのコードをさらに備える、Ｃ７３に記載のコンピュータプログラムプロダクト。
［Ｃ７５］
前記コンピュータ可読媒体は、少なくとも１つのアップリンクパケットをネットワークエンティティに送ることを前記コンピュータにさせるためのコードをさらに備える、Ｃ７３に記載のコンピュータプログラムプロダクト。
［Ｃ７６］
前記ネットワークエンティティはマクロ基地局を備える、Ｃ７５に記載のコンピュータプログラムプロダクト。
［Ｃ７７］
前記コンピュータ可読媒体は、
前記ＵＥがＣＥＬＬ＿ＦＡＣＨ状態にあることに応じて、ブロードキャストされたシステム情報を前記ネットワークエンティティから受信することと、
前記ブロードキャストされたシステム情報を前記ＦＡＰに送ることとを前記コンピュータにさせるためのコードをさらに備える、Ｃ７５に記載のコンピュータプログラムプロダクト。
［Ｃ７８］
前記ブロードキャストされたシステムを前記ＦＡＰに前記ＯＯＢリンクを介して送るための手段をさらに備える、Ｃ７７に記載のコンピュータプログラムプロダクト。
［Ｃ７９］
前記コンピュータ可読媒体は、前記ＵＥがＣＥＬＬ＿ＤＣＨ状態にあることに応答して、前記ネットワークエンティティから専用シグナリング情報を受信し、
拡散コード、スクランブリングコード、およびタイミグオフセットに関する前記シグナリング情報をＯＯＢリンクを介して前記ＦＡＰに提供することを前記コンピュータにさせるためのコードをさらに備える、Ｃ７５に記載のコンピュータプログラムプロダクト。
［Ｃ８０］
前記コンピュータ可読媒体は、前記ＯＯＢリンクがまだ確立されていないとの決定に応じて、前記ＯＯＢリンクの確立を開始することを前記コンピュータさせるためのコードをさらに備える、Ｃ７３に記載のコンピュータプログラムプロダクト。
［Ｃ８１］
前記コンピュータ可読媒体は、前記ＯＯＢリンクを介して前記ＦＡＰへの前記支援パラメータの転送を開始することを前記コンピュータにさせるためのコードをさらに備える、Ｃ７３に記載のコンピュータプログラムプロダクト。
［Ｃ８２］
前記コンピュータ可読媒体は、前記ＯＯＢリンクがまだ確立されていないとの決定に応じて、前記ＯＯＢリンクを確立するように前記ＦＡＰにページングすることを前記コンピュータにさせるためのコードをさらに備える、Ｃ７３に記載のコンピュータプログラムプロダクト。
［Ｃ８３］
前記コンピュータ可読媒体は、前記ＵＥがＬＴＥ接続状態にあることに応じて、ブロードキャストされたシステムおよび専用システム情報のうちの少なくとも１つを前記ネットワークエンティティから受信し、
前記ブロードキャストされたシステム情報および前記専用シグナリング情報のうちの少なくとも１つをＯＯＢリンクを介して前記ＦＡＰに送ることを前記コンピュータにさせるためのコードをさらに備える、Ｃ７５に記載のコンピュータプログラムプロダクト。
【図１】
0005575932.tif 000005
【図２】
0005575932.tif 000006
【図３】
0005575932.tif 000007
【図４Ａ】
0005575932.tif 000008
【図４Ｂ】
0005575932.tif 000009
【図５Ａ】
0005575932.tif 000010
【図５Ｂ】
0005575932.tif 000011
【図６】
0005575932.tif 000012
【図７】
0005575932.tif 000013
【図８】
0005575932.tif 000014
【図９】
0005575932.tif 000015
【図１０】
0005575932.tif 000016
【図１１】
0005575932.tif 000017
【図１２】
0005575932.tif 000018
【図１３Ａ】
0005575932.tif 000019
【図１３Ｂ】
0005575932.tif 000020
【図１４】
0005575932.tif 000021
【図１５】
0005575932.tif 000022
【図１６】
0005575932.tif 000023
【図１７】
0005575932.tif 000024
【図１８Ａ】
0005575932.tif 000025
【図１８Ｂ】
0005575932.tif 000026
【図１９】
0005575932.tif 000027
【図２０Ａ】
0005575932.tif 000028
【図２０Ｂ】
0005575932.tif 000029
【図２１】
0005575932.tif 000030
【図２２Ａ】
0005575932.tif 000031
【図２２Ｂ】
0005575932.tif 000032
【図２３】
0005575932.tif 000033
【図２４】
0005575932.tif 000034